(57)【要約】  いくつかの実施形態は、強化されたクラブヘッドフェースを有するクラブヘッドを備える。関連するクラブヘッドおよび方法の他の実施形態も開示される。【選択図】  図１
2019520171.tif 000002
【特許請求の範囲】
【請求項１】
ゴルフクラブヘッドであって、
前端部および後端部と、
フェース要素であって、
前記前端部に位置するフェース面と、
前記後端部に位置する後面であって、後中心、後周縁部、および、強化デバイスを備える前記後面と、
を備える前記フェース要素と、
トップレール壁を形成するために、底端部に向かって円弧状に延在するトップレールを有する上端部と、
前記上端部に向かって上向きに延在する後部分と一体に形成されるソールを有する底部と、
第１のトゥ端部部分、第２のトゥ端部部分、および、第３のトゥ端部部分へと分割されるトゥ端部であって、
前記第１のトゥ端部部分は、前記上端部に隣接しており、前記上端部と一体に形成されており、
前記第３のトゥ端部部分は、前記底端部に隣接しており、前記底端部と一体に形成されており、
前記第２のトゥ端部部分は、前記第１のトゥ端部部分と前記第３のトゥ端部部分の間に設けられており、
前記トゥ端部は、前記トップレール、前記ソール、および、前記ヒール端部に向かって、湾曲して延在しているトゥレッジ部を有しており、
前記トゥレッジ部は、前記トップレール壁および前記後部分と一体に形成される、
前記トゥ端部と、
前記トップレール、前記ソール、および、前記トゥ端部に向かって、湾曲して延在しているヒールレッジ部を備えるヒール端部であって、前記ヒールレッジ部は、前記トップレール壁および前記後部分と一体に形成される、前記ヒール端部と、
第１のキャビティ、第２のキャビティ、第３のキャビティ、第４のキャビティ、および、第５のキャビティを備えるアンダーカットであって、
前記第１のキャビティは、前記後面と前記上部後方壁部の間に形成されており、０．１１５インチから０．１３５インチの第１の深さを有しており、
前記第２のキャビティは、前記後面と前記後部分の間に形成されており、０．４６０インチから０．５８０インチの第２の深さを有しており、
前記第３のキャビティは、前記後面と前記第１のトゥ端部部分における前記トゥレッジ部の間に形成されており、０．２１５インチから０．２４５インチの範囲の第３の深さを有しており、
前記第４のキャビティは、前記後面と前記第２のトゥ端部部分における前記トゥレッジ部の間に形成されており、０．１４０インチから０．１６５インチの範囲の第４の深さを有しており、
前記第５のキャビティは、前記後面と前記ヒールレッジ部の間に形成されており、前記第５のキャビティは、０．０８０インチから０．１１０インチの範囲の第５の深さを有している、
前記アンダーカットと、
外周縁面および内周縁面を有するループ状リブを備える強化要素と、を備え、
前記強化要素の前記外周縁面は、前記後面に対してすみ肉付けされる、ゴルフクラブヘッド。
【請求項２】
前記ループ状リブは、ｘ軸に対して対称である、または、ｙ軸に対して対称である、請求項１に記載のゴルフクラブヘッド。
【請求項３】
前記第１のキャビティ、前記第２のキャビティ、前記第３のキャビティ、前記第４のキャビティ、および、前記第５のキャビティの全てが一体に接続されており、連続的である、請求項１に記載のゴルフクラブヘッド。
【請求項４】
前記第１のキャビティ、前記第２のキャビティ、前記第３のキャビティ、前記第４のキャビティ、および、前記第５のキャビティが、分断構造体によって分断されており、非連続的である、請求項１に記載のゴルフクラブヘッド。
【請求項５】
前記フェース要素が、前記フェース面のフェース中心から前記後中心へと垂直に測定され、０．０５５インチから０．０７５インチの範囲の第１の厚さを備え、
前記フェース要素が、前記強化要素の頂点から前記フェース面へと垂直に測定され、０．１５０インチから０．２００インチの範囲の第２の厚さを備え、
前記フェース要素が、前記フェース面から、前記強化デバイスがなく前記後周縁部および前記後中心に隣接する前記後面へと垂直に測定され、０．０５０インチから０．０６０インチの範囲の第３の厚さを備え、
前記フェース要素が、前記後周縁部において、０．０５０インチから０．０７０インチの範囲の第４の厚さを備える、請求項１に記載のゴルフクラブヘッド。
【請求項６】
前記ゴルフクラブヘッドは、前記第２のキャビティの前記底部において、カスケーディングソールをさらに備え、
前記カスケーディングソールは、第１の層および第２の層を備える、請求項１に記載のゴルフクラブヘッド。
【請求項７】
前記第１の層は、前記第２の層の厚さよりも大きい厚さを備える、請求項６に記載のゴルフクラブヘッド。
【請求項８】
前記ループ状リブの前記内周縁面が、前記後面に対してすみ肉付けされる、請求項１に記載のゴルフクラブヘッド。
【請求項９】
前記第１のキャビティの前記第１の深さは、約０．１２５インチであり、
前記第２のキャビティの前記第２の深さは、約０．５００インチであり、
前記第１のトゥ端部部分における前記第３のキャビティの前記第３の深さは、約０．２２５インチであり、
前記第２のトゥ端部部分における前記第４のキャビティの前記第４の深さは、約０．１２０インチであり、
前記ヒール端部における前記第５のキャビティの前記第５の深さは、約０．０８０インチである、請求項１に記載のゴルフクラブヘッド。
【請求項１０】
前記トゥレッジ部は、前記後面の一部を覆っており、
前記トゥレッジ部は、前記第１のトゥ端部部分において最も顕著であり、前記第２のトゥ端部部分に向かって減少し、実質的に一定になっており、前記第３のトゥ端部部分に向かって、わずかに増加する、請求項１に記載のゴルフクラブヘッド。
【請求項１１】
ゴルフクラブヘッドであって、
前端部および後端部と、
フェース要素であって、
前記前端部に位置するフェース面と、
前記後端部に位置する後面であって、後中心及び後周縁部を備える前記後面と、
を備える前記フェース要素と、
トップレール壁を形成するために、底端部に向かって円弧状に延在するトップレールを有する上端部と、
前記上端部に向かって上向きに延在する後部分と一体に形成されるソールを有する底部と、
第１のトゥ端部部分、第２のトゥ端部部分、および、第３のトゥ端部部分へと分割されるトゥ端部であって、
前記第１のトゥ端部部分は、前記上端部に隣接しており、前記上端部と一体に形成されており、
前記第３のトゥ端部部分は、前記底端部に隣接しており、前記底端部と一体に形成されており、
前記第２のトゥ端部部分は、前記第１のトゥ端部部分と前記第３のトゥ端部部分の間に設けられており、
前記トゥ端部は、前記トップレール、前記ソール、および、前記ヒール端部に向かって、湾曲して延在しているトゥレッジ部を有しており、
前記トゥレッジ部は、前記トップレール壁および前記後部分と一体に形成される、
前記トゥ端部と、
前記トップレール、前記ソール、および、前記トゥ端部に向かって、湾曲して延在しているヒールレッジ部を備えるヒール端部であって、前記ヒールレッジ部は、前記トップレール壁および前記後部分と一体に形成される、前記ヒール端部と、
第１のキャビティ、第２のキャビティ、第３のキャビティ、第４のキャビティ、および、第５のキャビティを備えるアンダーカットであって、
前記第１のキャビティは、前記後面と前記上部後方壁部の間に形成されており、０．１１５インチから０．１３５インチの第１の深さを有しており、
前記第２のキャビティは、前記後面と前記後部分の間に形成されており、０．４６０インチから０．５８０インチの第２の深さを有しており、
前記第３のキャビティは、前記後面と前記第１のトゥ端部部分における前記トゥレッジ部の間に形成されており、０．２１５インチから０．２４５インチの範囲の第３の深さを有しており、
前記第４のキャビティは、前記後面と前記第２のトゥ端部部分における前記トゥレッジ部の間に形成されており、０．１４０インチから０．１６５インチの範囲の第４の深さを有しており、
前記第５のキャビティは、前記後面と前記ヒールレッジ部の間に形成されており、前記第５のキャビティは、０．０８０インチから０．１１０インチの範囲の第５の深さを有している、
前記アンダーカットと、
を備える、ゴルフクラブヘッド。
【請求項１２】
前記フェース要素は、前記フェース面のフェース中心から前記後中心へと垂直に測定され、０．０８８インチから０．１００インチの範囲の第１の厚さを備え、
前記フェース要素は、前記フェース面から前記後中心に隣接する前記後面へと垂直に測定され、０．０８８インチから０．１００インチの範囲の第２の厚さを備え、
前記フェース要素は、前記フェース面から前記後面へと測定され、前記第２の厚さに隣接し、かつ、前記後周縁部に隣接する０．０５０インチから０．０６０インチの範囲の第３の厚さを備え、
前記フェース要素は、前記後周縁部において、０．０５０インチから０．０７０インチの範囲の第４の厚さを備える、請求項１１に記載のゴルフクラブヘッド。
【請求項１３】
前記カスケーディングソールは、第１の層および第２の層を備える、請求項１１に記載のゴルフクラブヘッド。
【請求項１４】
前記第１の層は、前記前端部の近位にあり、
前記第２の層は、前記後端部の近位にあり、
前記第１の層が前記第２の層へと移行する、請求項１１に記載のゴルフクラブヘッド。
【請求項１５】
前記第１の層は、前記第２の層の厚さよりも大きい厚さを備える、請求項１１に記載のゴルフクラブヘッド。
【請求項１６】
前記第１のキャビティの前記第１の深さは、約０．１２５インチであり、
前記第２のキャビティの前記第２の深さは、約０．５００インチであり、
前記第１のトゥ端部部分における前記第３のキャビティの前記第３の深さは、約０．２２５インチであり、
前記第２のトゥ端部部分における前記第４のキャビティの前記第４の深さは、約０．１２０インチであり、
前記ヒール端部における前記第５のキャビティの前記第５の深さは、約０．０８０インチである、請求項１１に記載のゴルフクラブヘッド。
【請求項１７】
前記第１のキャビティ、前記第２のキャビティ、前記第３のキャビティ、前記第４のキャビティ、および、前記第５のキャビティの全てが一体に接続されており、連続的である、請求項１１に記載のゴルフクラブヘッド。
【請求項１８】
前記第１のキャビティ、前記第２のキャビティ、前記第３のキャビティ、前記第４のキャビティ、および、前記第５のキャビティが、分断構造体によって分断されており、非連続的である、請求項１１に記載のゴルフクラブヘッド。
【請求項１９】
ウエイトが、前記後部分と前記後面の間において、前記第２のキャビティの中に配設されることができる、請求項１１に記載のゴルフクラブヘッド。
【請求項２０】
前記トゥレッジ部は、前記後面の一部を覆っており、
前記トゥレッジ部は、前記第１のトゥ端部部分において最も顕著であり、前記第２のトゥ端部部分に向かって減少し、実質的に一定になっており、前記第３のトゥ端部部分に向かってわずかに増加する、請求項１１に記載のゴルフクラブヘッド。
【発明の詳細な説明】
【技術分野】
【０００１】
（関連出願の相互参照）
本出願は、２０１７年６月１９日出願された米国仮特許出願第６２／５２１，９９８号、および２０１６年７月７日に出願された米国仮特許出願第６２／３５９，４５０号の優先権を主張するものである。また、本出願は、２０１７年６月２０日に出願された米国特許出願第１５／６２８，６３９の優先権を主張するものである。上述の開示の全内容は、その全体が参照により本明細書に援用される。
【０００２】
本開示は、一般的にはスポーツ用具に関し、より詳細にはゴルフクラブヘッドおよびそれに関連する方法に関する。
【背景技術】
【０００３】
ゴルフクラブのさまざまな特性が、ゴルフクラブの性能に影響を及ぼし得る。例えば、ゴルフクラブのクラブヘッドの重心、慣性モーメント、および反発係数がそれぞれ、性能に影響を及ぼし得るゴルフクラブの特性である。
【０００４】
ゴルフクラブのクラブヘッドの重心および慣性モーメントは、クラブヘッドの質量分布の関数である。詳細には、クラブヘッドの質量を、クラブヘッドのソールのより近くになるように、クラブヘッドのフェースからより遠くになるように、および／またはクラブヘッドのトゥ端部およびヒール端部のより近くになるように分布させると、クラブヘッドの重心および／または慣性モーメントが変化し得る。例えば、クラブヘッドの質量を、クラブヘッドのソールのより近くになるように、および／またはクラブヘッドのフェースからより遠くになるように分布させると、クラブヘッドで打撃したゴルフボールの飛行角度が増大し得る。一方、ゴルフボールの飛行角度を増大させると、ゴルフボールが移動する距離が増大し得る。さらに、クラブヘッドの質量を、クラブヘッドのトゥ端部および／またはヒール端部のより近くになるように分布させると、クラブヘッドの慣性モーメントに影響が及び得、それが、ゴルフクラブの寛容性を変更し得る。
【０００５】
さらに、ゴルフクラブのクラブヘッドの反発係数は、少なくともクラブヘッドのフェースの可撓性の関数となり得る。一方、クラブヘッドのフェースの可撓性は、フェースの幾何形状（例えば高さ、幅、および／もしくは厚さ）、および／またはフェースの材料特性（例えばヤング率）の関数となり得る。即ち、フェースの高さおよび／もしくは幅を最大化し、および／またはフェースの厚さおよび／またはヤング率を最小限に抑えると、フェースの可撓性が増大し、それにより、クラブヘッドの反発係数が増大し得、また、本質的にクラブヘッドからゴルフボールへのエネルギー伝達効率の尺度であるゴルフクラブのクラブヘッドの反発係数を増大させると、インパクト後にゴルフボールが移動する距離が増大し、ゴルフボールのスピンが低減し、および／またはゴルフボールのボール速度が増大し得る。
【０００６】
しかし、クラブヘッドのフェースを薄化すると、フェースからの質量がクラブヘッドの他の部分に再分配されることが可能になり得、またフェースがより可撓性になり得るものの、クラブヘッドのフェースを薄化すると、フェース内の屈曲が、座屈し破損するところまで増大するおそれもある。従って、クラブヘッドのフェースが薄化されたときにクラブヘッドのフェースが座屈するのを防止するためのデバイスおよび方法が必要である。
【０００７】
実施形態についてのさらなる説明を容易にするために、以下の図面が提供される。
【図面の簡単な説明】
【０００８】
【図１】一実施形態によるクラブヘッドの上面、後面、トゥ側面図である。
【図２】図１の実施形態によるクラブヘッドの上面、正面、ヒール側面図である。
【図３】一実施形態による従来型のクラブヘッドの図である。
【図４】図３の実施形態による、従来型のクラブヘッドの図３の切断線４−４に沿った部分断面図の、従来型のクラブヘッドのフェース面がゴルフボール（図示省略）をインパクトしているところをシミュレーションし、その際、結果として生じる屈曲が３倍になっている、応力歪み解析の様子を示す図である。
【図５】図１の実施形態によるクラブヘッドの図２の切断線５−５に沿った断面図である。
【図６】一実施形態によるクラブヘッドの上面、後面、トゥ側面図である。
【図７】図６の実施形態によるクラブヘッドの上面、正面、トゥ側面図である。
【図８】図１の別の実施形態によるクラブヘッドの図２の切断線５−５に沿った側面図である。
【図９】図８の実施形態によるクラブヘッドの上面、後面、ヒール側面図である。
【図１０】ゴルフクラブヘッドを提供する方法の一実施形態に関するフローチャートである。
【図１１】図１０の実施形態による強化デバイスを提供する例示的作業を示す図である。
【図１２】振動減衰特徴部の層の一実施形態に関する図である。
【図１３】図１の実施形態によるクラブヘッドの図２の切断線５−５に沿った側面図である。
【図１４】一実施形態によるゴルフクラブの正面図である。
【図１５】一実施形態によるクラブヘッドの上面、後面図である。
【図１６】図１５の実施形態による、図１５の切断線６−６に沿ったクラブヘッドの断面図である。
【図１７】他の実施形態によるクラブヘッドの断面図である。
【図１８Ａ】他の実施形態によるクラブヘッドの断面図である。
【図１８Ｂ】図１８Ａの実施形態によるクラブヘッドの断面図の拡大視である。
【図１９】他の実施形態によるクラブヘッドの断面図である。
【図２０】図１９の実施形態によるクラブヘッドの後面図である。
【図２１】図１９の実施形態によるクラブヘッドの正面図である。
【０００９】
説明を簡潔かつ明瞭にするために、図面は、構造を包括的に示しており、本開示を不必要に不明瞭にすることを避けるために、周知の特徴及び技術については、説明及び詳細を省略する場合がある。更に、図面の要素は、必ずしも実際の縮尺を反映していない。例えば、図面の幾つかの要素の寸法は、本発明の実施形態を明瞭にするために、他の要素に対して誇張して示している場合がある。異なる図面における同じ参照符号は、同じ要素を示す。
【００１０】
明細書及び特許請求の範囲における「第１」、「第２」、「第３」、及び「第４」等の用語は、類似の要素を区別するために使用しており、必ずしも特定の順序又は時系列を示すものではない。このように使用される用語は、適切な状況下で交換可能であり、例えば、本明細書に記載する実施形態は、本明細書に図示し又は他の手法で記載している順序以外の順序で実行してもよいと理解されよう。更に、「含む」、「有する」及びこの活用形は、非排他的な包含を意図しており、要素のリストを備えるプロセス、方法、システム、物品、装置、又は機器は、必ずしもこれらの要素に限定されるものではなく、明示的に列挙されていない要素又はこのようなプロセス、方法、システム、物品、装置、又は機器に固有の他の要素を含むことができる。
【００１１】
明細書及び特許請求の範囲における「左」、「右」、「前」、「後」、「頂部」、「底部」、「上」、「下」等の用語は、説明を目的とし、必ずしも恒久的な相対位置を記述するものではない。これらの用語は、適切な状況下で交換可能であり、本明細書に記載する装置、方法、及び／又は物品の実施形態は、例えば、本明細書に例示又は記載した向きとは異なる向きで動作することができると理解されよう。
【００１２】
「連結」、「連結される」、「連結する」、「連結すること」等の用語は、広範に理解されるべきであり、２つ以上の要素を機械的におよび／または別の方法で接続することを指す。２つ以上の機械的要素は、電気的または他の方法で連結されずに、機械的に連結され得る。連結は、任意の長さの時間、例えば、永久もしくは半永久、または瞬間のみ、であってよい。
【００１３】
「機械的連結」などは広く解釈されるべきであり、あらゆる種類の機械的に連結を含む。
【００１４】
「連結」等の語の近くの「取り外し可能に」、「取り外し可能」等の語の欠如は、対象の該結合等が、取り外し可能であること、または取り外し可能でないことを意味するものではない。
【発明を実施するための形態】
【００１５】
いくつかの実施形態は、ゴルフクラブヘッドを有する。ゴルフクラブヘッドは、上端部および上端部の反対側にある底端部と、前端部および前端部の反対側にある後端部と、トゥ端部およびトゥ端部の反対側にあるヒール端部とを備える。さらに、ゴルフクラブヘッドは、フェース要素を備える。フェース要素は、前端部に位置するフェース面を備え、フェース面は、フェース中心およびフェース周縁部を備える。また、フェース要素は、後端部に位置し、フェース面とは略反対側にある後面を備え、後面は、フェース中心の略反対側にある後中心および後周縁部を備える。さらにまた、ゴルフクラブヘッドは、後面に位置する強化デバイスを備える。これらの実施形態では、ｘ軸は、フェース面に略平行に延在し、後中心を通過し、ｙ軸は、フェース面に略平行に延在し、ｘ軸に略垂直に延在し、後中心を通過し、ｚ軸は、フェース面に略垂直に延在し、ｘ軸とｙ軸に略垂直に延在し、後中心と交わる。さらに、ｘ軸は、トゥ端部およびヒール端部を通って、かつ上端部と底端部から等距離の位置で延在し、ｙ軸は、上端部および底端部を通って、かつトゥ端部とヒール端部から等距離の位置で延在し、ｚ軸は、前端部および後端部を通って、かつ（ｉ）トゥ端部とヒール端部から、および（ｉｉ）上端部と後端部から等距離の位置で延在する。さらにこれらの実施形態では、強化デバイスは、略ｚ軸上に位置する幾何学的中心を有する強化要素を備え、強化要素は、後面から後端部に向かうとともに前端部から離れるように延在し、強化要素は、ループ状リブを備える。一方、フェース面は、フェース周縁部の近位においてよりもフェース中心の近位において後面により近くなり得る。
【００１６】
他の実施形態は、ゴルフクラブヘッドを有する。いくつかの実施形態では、ゴルフクラブヘッドは、アイアンタイプのゴルフクラブヘッドを備える。ゴルフクラブヘッドは、上端部および上端部の反対側にある底端部と、前端部および前端部の反対側にある後端部と、トゥ端部およびトゥ端部の反対側にあるヒール端部とを備える。さらに、ゴルフクラブヘッドは、フェース要素を備える。フェース要素は、前端部に位置するフェース面を備え、フェース面は、フェース中心およびフェース周縁部を備える。また、フェース要素は、後端部に位置し、フェース面とは略反対側にある後面を備え、後面は、フェース中心の略反対側にある後中心および後周縁部を備える。さらにまた、ゴルフクラブヘッドは、後面に位置する強化デバイスを備える。そして、さらにまた、ゴルフクラブヘッドは、（ｉ）後面から後端部に向かうとともに前端部から離れるように延在し、（ｉｉ）後面の周縁部の周り全体に延在する周縁壁要素を備える。周縁壁要素は、上端部で後面の後周縁部に沿って延在する第１の周縁壁部、および、底端部で後面の後周縁部に沿って延在する第２の周縁壁部を備える。これらの実施形態では、ｘ軸は、フェース面に略平行に延在し、後中心を通過し、ｙ軸は、フェース面に略平行に延在し、ｘ軸に略垂直に延在し、後中心を通過し、ｚ軸は、フェース面に略垂直に延在し、ｘ軸とｙ軸に略垂直に延在し、後中心と交わる。さらに、ｘ軸は、トゥ端部およびヒール端部を通って、かつ上端部と底端部から等距離の位置で延在し、ｙ軸は、上端部および底端部を通って、かつトゥ端部とヒール端部から等距離の位置で延在し、ｚ軸は、前端部および後端部を通って、かつ（ｉ）トゥ端部とヒール端部との間、および（ｉｉ）上端部と後端部から等距離の位置で延在する。さらにこれらの実施形態では、強化デバイスは、略ｚ軸上に位置する幾何学的中心を備える強化要素を備え、強化要素は、後面から後端部に向かうとともに前端部から離れるように延在し、強化要素は、閉円形ループ状リブを備える。また、ゴルフクラブヘッドは、アイアンタイプのゴルフクラブヘッドを備え、フェース中心から後中心までの中心厚さが、およそ０．２０３センチメートル以下であり、第２の周縁壁部の少なくとも一部が、フェース周縁部に近位のフェース要素よりも薄い。
【００１７】
いくつかの実施形態は、さらに、ループ状リブによって形成される強化要素のキャビティの中を少なくとも部分的に充填するインサートを有する。いくつかの実施形態では、キャビティは、中心キャビティとすることができる。また、中心キャビティは、バッジによって部分的に覆われることができる。バッジは、インサートから分離していてもよく、インサートと一体をなしてもよい。他の実施形態では、バッジは、強化要素と一体をなすことができる。インサートは、約３ｇ未満の軽量の材料であることができ、ゴルフクラブヘッドのスイングの重心に著しく影響を及ぼさないようにし得る。代替実施形態では、インサートは、約５ｇ〜約１０ｇなど、約３ｇよりも大きい重量とすることができ、クラブヘッドのスイングウエイトまたは重心に寄与し得る。
【００１８】
さらなる実施形態は、雑音を減少させるため、より望ましい音を生み出すため、そして、ゴルフクラブヘッドの振動を減少させるために、ゴルフクラブヘッドの後面上に配設される振動減衰特徴部を有する。振動減衰特徴部は、制振フォイル、ゴム、もしくは感圧性粘弾性アクリルポリマーのような制振性もしくは振動除去性の他の材料もしくは組成で構成されることができる。振動減衰特徴部は、感圧性であり得、ゴルフボールが打撃されるとき、ゴルフクラブヘッドからの振動を減少もしくは除去をもたらす。振動減衰特徴部は、薄いフェースのゴルフクラブヘッドにおいて、よりよい性能を獲得することと組み合わさって、より望ましい音をゴルフクラブヘッドに与える。振動減衰特徴部は、ゴルフクラブヘッドの後面に少なくとも部分的に適用される。振動減衰特徴部は、また、強化要素に適用されることができる。振動減衰特徴部は、さらに、強化要素のキャビティの全てもしくは部分に適用され得る。キャビティは、中心キャビティとすることができる。後面の中心キャビティは、また、振動減衰特徴部によって部分的に覆われることができる。中心キャビティは、また、バッジによって部分的に覆われることができ、そして、振動減衰特徴部は、バッジの下に配設されることができる。
【００１９】
さらなる実施形態は、ゴルフクラブヘッドを提供する方法を含む。その方法は、（ｉ）前端部に位置し、フェース中心およびフェース周縁部を備えるフェース面と、（ｉｉ）後端部に位置し、フェース面とは略反対側にある後面であって、フェース中心の略反対側にある後中心、および後周縁部を備える後面と、を備えるフェース要素を提供することと、後面に強化デバイスを提供することと、を含むことができる。これらの実施形態では、ゴルフクラブヘッドが、上端部および上端部の反対側にある底端部と、前端部および前端部の反対側にある後端部と、トゥ端部およびトゥ端部の反対側にあるヒール端部とを備える。さらに、ｘ軸が、フェース面に略平行に延在し、後中心を通過し、ｙ軸が、フェース面に略平行に延在し、ｘ軸に略垂直に延在し、後中心を通過し、ｚ軸が、フェース面に略垂直に延在し、ｘ軸およびｙ軸に略垂直に延在し、後中心を通過する。さらにまた、ｘ軸が、トゥ端部およびヒール端部を通って、かつ上端部と底端部から等距離の位置で延在し、ｙ軸が、上端部および底端部を通って、かつトゥ端部とヒール端部から等距離の位置で延在し、ｚ軸が、前端部および後端部を通って、かつ（ｉ）トゥ端部とヒール端部から、および（ｉｉ）上端部と後端部から等距離の位置で延在する。一方、強化デバイスが、略ｚ軸上に位置する幾何学的中心を備える強化要素を備え、強化要素が、後面から後端部に向かうとともに前端部から離れるように延在し、強化要素が、ループ状リブを備える。また、フェース面が、フェース周縁部の近位においてよりもフェース中心の近位において後面により近くなり得る。
【００２０】
いくつかの実施形態は、ゴルフクラブを有する。ゴルフクラブは、シャフトと、シャフトに結合されたゴルフクラブヘッドとを備える。ゴルフクラブヘッドは、上端部および上端部の反対側にある底端部と、前端部および前端部の反対側にある後端部と、トゥ端部およびトゥ端部の反対側にあるヒール端部とを備える。さらに、ゴルフクラブヘッドは、フェース要素を備える。フェース要素は、前端部に位置し、フェース中心およびフェース周縁部を備えるフェース面を備える。また、フェース要素は、後端部に位置し、フェース面とは略反対側にある後面であって、フェース中心の略反対側にある後中心、および後周縁部を備える後面とを備える。さらにまた、ゴルフクラブヘッドは、後面に位置する強化デバイスを備える。これらの実施形態では、ｘ軸が、フェース面に略平行に延在し、後中心を通過し、ｙ軸が、フェース面に略平行に延在し、ｘ軸に略垂直に延在し、後中心を通過し、ｚ軸が、フェース面に略垂直に延在し、ｘ軸およびｙ軸に略垂直に延在し、後中心を通過する。さらに、ｘ軸が、トゥ端部およびヒール端部を通って、かつ上端部と底端部から等距離の位置で延在し、ｙ軸が、上端部および底端部を通って、かつトゥ端部とヒール端部から等距離の位置で延在し、ｚ軸が、前端部および後端部を通って、かつ（ｉ）トゥ端部とヒール端部から、および（ｉｉ）上端部と後端部から等距離の位置で延在する。さらにこれらの実施形態では、強化デバイスが、略ｚ軸上に位置する幾何学的中心を有する強化要素を備え、強化要素が、後面から外に後端部に向かうとともに前端部から離れるように延在し、強化要素が、ループ状リブを備える。一方、フェース面が、フェース周縁部の近位においてよりもフェース中心の近位において後面により近くなり得る。
【００２１】
図面に移ると、図１は、一実施形態によるクラブヘッド１００の上面、後面、トゥ側面図を示す。一方、図２は、図１の実施形態によるクラブヘッド１００の上面、正面、ヒール側面図を示す。クラブヘッド１００は、例示にすぎず、本明細書に提示する実施形態に限定されない。クラブヘッド１００は、本明細書で明確に図示または説明していない多くの異なる実施形態または例で用いられ得る。
【００２２】
一般に、クラブヘッド１００は、ゴルフクラブヘッドを備えることができる。ゴルフクラブヘッド１００は、対応するゴルフクラブの部分とすることができる。例えば、ゴルフクラブ１４００（図１４）は、シャフト１４９０およびグリップ１４９５に結合されたゴルフクラブヘッド１００を備えることができる。さらに、ゴルフクラブヘッドは、ゴルフクラブヘッドのセットの部分とすることができ、および／またはゴルフクラブは、ゴルフクラブのセットの部分とすることができる。例えば、クラブヘッド１００は、任意の適切なアイアンタイプのゴルフクラブヘッドを備えることができる。いくつかの実施形態では、クラブヘッド１００は、マッスルバックアイアンタイプのゴルフクラブヘッドまたはキャビティバックアイアンタイプのゴルフクラブヘッドを備えることができる。それにも関わらず、クラブヘッド１００については一般に、アイアンタイプのゴルフクラブヘッドに関して説明するが、クラブヘッド１００は、例えばウッドタイプのゴルフクラブヘッド（例えばドライバクラブヘッド、フェアウェイウッドクラブヘッド、ハイブリッドクラブヘッド等）や、パターゴルフクラブヘッドなどの、他のどんな適切なタイプのゴルフクラブヘッドを備えてもよい。一般に、クラブヘッド１００は、どんな適切な材料を含んでもよいが、多くの実施形態では、クラブヘッド１００は、１つまたは複数の金属材料を含む。前述の内容にも関わらず、本明細書で説明する装置、方法、および製品は、この点に関して限定されない。
【００２３】
参照のために示すと、クラブヘッド１００は、上端部１０１および上端部１０１の反対側にある底端部１０２、前端部２０３（図２）および前端部２０３（図２）の反対側にある後端部１０４、ならびにトゥ端部１０５およびトゥ端部１０５の反対側にあるヒール端部１０６を備える。また、クラブヘッド１００は、ｘ軸１０７、ｙ軸１０８、およびｚ軸１０９を備える。
【００２４】
一方、ｘ軸１０７、ｙ軸１０８、およびｚ軸１０９は、クラブヘッド１００のデカルト基準座標系を形成する。従って、ｘ軸１０７、ｙ軸１０８、およびｚ軸１０９は、互いに垂直である。さらに、ｘ軸１０７は、トゥ端部１０５およびヒール端部１０６を通って延在し、上端部１０１と底端部１０２との間で等距離のところにあり、ｙ軸１０８は、上端部１０１および底端部１０２を通って延在し、トゥ端部１０５とヒール端部１０６との間で等距離のところにあり、ｚ軸１０９は、前端部２０３（図２）および後端部１０４を通って延在し、（ｉ）トゥ端部１０５とヒール端部１０６との間、および（ｉｉ）上端部１０１と後端部１０２との間で等距離のところにある。
【００２５】
クラブヘッド１００は、クラブヘッド本体１１０を備える。クラブヘッド本体１１０は、中実でもよく、中空でもよく、部分的に中空でもよい。クラブヘッド本体１１０が中空および／または部分的に中空のとき、クラブヘッド本体１１０は、シェル構造を備えることができ、さらに、シェル構造の材料とは異なる充填材料で充填および／または部分的に充填され得る。例えば、充填材料は、プラスチック発泡体を含むことができる。
【００２６】
クラブヘッド本体１１０は、フェース要素１１１および強化デバイス１１２を備える。多くの実施形態では、クラブヘッド本体１１０は、周縁壁要素１１３を備えることができる。
【００２７】
多くの実施形態では、フェース要素１１１は、フェース面２１４（図２）および後面１１５を備える。一方、フェース面２１４（図２）は、フェース中心２１６（図２）およびフェース周縁部２１７（図２）を備え、後面１１５は、後中心１１８および後周縁部１１９を備える。フェース面２１４（図２）とは、クラブヘッド１００の打撃フェースまたは打撃プレートのことを指すことができ、例えばゴルフボールなどのボール（図示省略）をインパクトするように構成され得る。多くの実施形態では、フェース面２１４（図２）は、１つまたは複数のスコアリングライン２２３（図２）を備えることができる。
【００２８】
これらまたは他の実施形態では、フェース面２１４（図２）は前端部２０３（図２）に位置することができ、後面１１５は、後端部１０４に位置することができる。さらに、後面１１５は、フェース面２１４（図２）とは略反対側にあることができ、後中心１１８は、フェース中心２１６（図２）の略反対側にあることができ、後周縁部１１９は、フェース周縁部２１７（図２）の略反対側にあることができる。一般に、多くの例では、フェース中心２１６（図２）とは、フェース面２１４（図２）の幾何学的中心のことを指すことができる。従って、これらまたは他の例では、フェース中心２１６（図２）とは、フェース面２１４（図２）における、トゥ端部１０５とヒール端部１０６との間で略等距離のところにあり、さらに上端部１０１と底端部１０２との間で略等距離のところにある位置のことを指すことができる。さまざまな例では、フェース中心とは、参照により本明細書に組み込まれる、Ｕｎｉｔｅｄ  Ｓｔａｔｅｓ  Ｇｏｌｆ  Ａｓｓｏｃｉａｔｉｏｎ：Ｐｒｏｃｅｄｕｒｅ  ｆｏｒ  Ｍｅａｓｕｒｉｎｇ  ｔｈｅ  Ｆｌｅｘｉｂｉｌｉｔｙ  ｏｆ  ａ  Ｇｏｌｆ  Ｃｌｕｂｈｅａｄ、ＵＳＧＡ−ＴＰＸ３００４、改訂版１．０．０、６ページ、２００８年５月１日（ｈｔｔｐ：／／ｗｗｗ．ｕｓｇａ．ｏｒｇ／ｅｑｕｉｐｍｅｎｔ／ｔｅｓｔｉｎｇ／ｐｒｏｔｏｃｏｌｓ／Ｔｅｓｔ−Ｐｒｏｔｏｃｏｌｓ−Ｆｏｒ−Ｅｑｕｉｐｍｅｎｔから２０１４年５月１２日に取得）で定義されるフェース中心のことを指すことができる。同様に、いくつかの例では、後中心１１８とは、後面１１５の幾何学的中心のことを指すことができる。
【００２９】
参照として示すと、ｘ軸１０７およびｙ軸１０８は、フェース面２１４（図２）に略平行に延在することができ、ｚ軸１０９は、フェース面２１４（図２）に略垂直に延在することができる。一方、ｘ軸１０７、ｙ軸１０８、およびｚ軸１０９の各々は、後中心１１８がｘ軸１０７、ｙ軸１０８、およびｚ軸１０９によって形成されるデカルト基準座標系の原点を備えるように、後中心１１８と交わることができる。
【００３０】
さまざまな実施形態では、スコアリングライン２２３（図２）がそれぞれ、１つまたは複数の溝を備えることができ、トゥ端部１０５とヒール端部１０６との間で延在することができる。これらまたは他の実施形態では、スコアリングライン２２３（図２）は、ｘ軸１０７に略平行とすることができる。
【００３１】
多くの実施形態では、強化デバイス１１２が、１つまたは複数の強化要素１２０（例えば強化要素１２１）を備える。強化デバイス１１２および／または強化要素１２０は、後面１１５に位置し、後面１１５から外に後端部１０４に向かって、かつ前端部２０３（図２）から離れて延在する。多くの実施形態では、強化要素１２０の各強化要素が、外周縁面および幾何学的中心を備える。これらまたは他の実施形態では、強化要素１２０のうちの１つまたは複数（例えば強化要素１２１）の幾何学的中心は、略ｚ軸１０９のところに位置することができる。例えば、強化要素１２１は、外周縁面１２６および幾何学的中心１３０を備えることができる。
【００３２】
強化デバイス１１２および強化要素１２０は、例えば、フェース面２１４（図２）がボール（例えばゴルフボール）をインパクトするときなどに、フェース要素１１１が屈曲するのを可能にしながら、フェース要素１１１を強化するように構成される。その結果、フェース要素１１１は、薄化されて、フェース要素１１１からの質量がクラブヘッドの他の部分に再分配されることが可能になっても、またフェース要素１１１がより可撓性になっても、結果として生じる屈曲下で座屈および破損し得ない。有利には、フェース要素１１１は、強化デバイス１１２および強化要素１２０を伴って実装されるときのほうが、強化デバイス１１２および強化要素１２０を伴わずに実装されるときよりも薄くできるので、クラブヘッド１００の重心、慣性モーメント、および反発係数が、クラブヘッド１００の性能特性を向上させるように変更され得る。例えば、強化デバイス１１２および強化要素１２０を実装すると、ゴルフボールの発射角を、（例えばおよそ１０分の１度〜１０分の３度）増大させることによって、フェース面２１４（図２）で打ったゴルフボールの飛行距離が増大し得、ゴルフボールのボール速度が、例えばおよそ０．１マイル毎時（ｍｐｈ）（０．１６１キロメートル毎時（ｋｐｈ）〜およそ３．０ｍｐｈ（４．８３ｋｐｈ））増大し得、および／またはゴルフボールのスピンが（例えばおよそ１〜５００回転毎分）低減する。これらの例では、強化デバイス１１２および強化要素１２０が、フェース面２１４（図２）によって与えられるゴルフボールに対するギアリング（ｇｅａｒｉｎｇ）をいくらか打ち消す効果を有することができる。
【００３３】
ゴルフクラブヘッド１００の一実施形態を備えるゴルフクラブのテストを実施した。全体的に、標準の強化型打撃フェースおよびカスタムチューニングポート付きのアイアンゴルフクラブと比較したとき、テストでは、ｘ軸および／またはｙ軸の周りの慣性モーメントがより高いこと、ならびにゴルフボールがゴルフクラブヘッドのフェースに衝突する統計面積がより狭いことによって示されるように、寛容性がより大きいことが示された。いくつかのテストでは、ｘ軸の周りの慣性モーメントがおよそ２％増大し、ｙ軸の周りの慣性モーメントがおよそ４％増大し、および／またはゴルフボールがゴルフクラブヘッドのフェースに衝突する統計面積が、およそ１５〜５０パーセント減少した。加えて、ゴルフボールのボール速度の増大、ゴルフボールの発射角の上昇、および／またはゴルフボールのスピンの低減が見られた。一例として、５番アイアンゴルフクラブ上でゴルフクラブ１００の一実施形態のテストをした際、ゴルフボールのボール速度が、およそ１．５ｍｐｈ（２．４１ｋｐｈ）増大し、ゴルフボールの発射角が、およそ０．３度上昇し、ゴルフボールのスピンが、およそ２５０回転毎分（ｒｐｍ）低減したことが見られた。別の例では、７番アイアンゴルフクラブ上でゴルフクラブ１００の一実施形態のテストをした際、ゴルフボールのボール速度が、およそ２．０ｍｐｈ（３．２２ｋｐｈ）増大し、ゴルフボールの発射角の度数に、ほぼ変化がなく、ゴルフボールのスピンが、およそ４５０ｒｐｍ低減したことが見られた。さらなる例として、ウェッジアイアンゴルフクラブ上でゴルフクラブ１００の一実施形態のテストをした際、ゴルフボールのボール速度に、ほぼ速度変化がなく、ゴルフボールの発射角が、およそ０．１度上昇し、ゴルフボールのスピンが、およそ２００ｒｐｍ低減したことが見られた。
【００３４】
とりわけ、多くの例では、フェース要素１１１がスコアリングライン２２３（図２）を備え、かつフェース要素１１１が強化デバイス１１２および強化要素１２０を実装せずに薄化されるとき、図３および図４に示し、図３および図４に関して以下の通り説明するように、フェース要素１１１の座屈および破損が、特にフェース中心２１６（図２）に近位のスコアリングライン２２３（図２）において、スコアリングライン２２３の底部で発生するおそれがある。
【００３５】
強化デバイス１１２を有するクラブヘッド１００は、前端部２０３から底端部１０２にかけて延在する均一な移行厚さ（ｔｒａｎｓｉｔｉｏｎ  ｔｈｉｃｋｎｅｓｓ）５５０（図５）も有することができる。均一な移行厚さ５５０は、強化デバイス１１２を有するクラブヘッド１００の、前端部２０３と底端部１０２との間の領域に向けられた応力を吸収する。均一な移行厚さ５５０は、およそ０．２０〜０．８０インチの範囲とすることができる。例えば、均一な移行厚さ５５０は、およそ０．２０、０．２５、０．３０、０．３５  ０．４０、０．４５、０．５０、０．５５、０．６０、０．６５、０．７０、０．７５、または０．８０インチとすることができる。
【００３６】
具体的には、図面を先に進むと、図３は、一実施形態による従来型のクラブヘッド３００を示す。クラブヘッド３００は、クラブヘッド１００（図１および図２）に類似し得るが、クラブヘッド１００とは異なり、クラブヘッド３００には、クラブヘッド３００のフェース要素３１１の後面３１５に強化デバイスおよび強化要素がない。クラブヘッド３００は、クラブヘッド３００のフェース面３１４に１つまたは複数のスコアリングライン３２３を備える。後面３１５は、後面１１５（図１）に類似し得、フェース要素３１１は、フェース要素１１１（図１）に類似していてもよく、それと同一でもよく、フェース面３１４は、フェース面２１４（図２）に類似していてもよく、それと同一でもよく、および／またはスコアリングライン３２３は、スコアリングライン２２３（図２）に類似していてもよく、それと同一でもよい。さらに、不在の強化デバイスは、強化デバイス１１２（図１）に類似し得、不在の強化要素は、強化要素１２０（図１）に類似し得る。一方、図４は、図３の実施形態による、クラブヘッド３００の図３の切断線４−４に沿った部分断面図の、クラブヘッド３００のフェース面３１４がゴルフボール（図示省略）をインパクトしているところをシミュレーションし、その際、結果として生じる屈曲が３倍になっている、応力歪み解析の様子を示す。
【００３７】
図４で実証されるように、フェース要素３１１は、支持ばりに類似した振舞いをし、従って中立軸４３６を備える。フェース要素３１１のフェース面３１４と中立軸４３６との間の部分は、圧縮状態にあり、フェース要素３１１の中立軸４３６と後面３１５との間の部分は、引張状態にある。応力はまず、フェース面３１４および後面３１５で増し、中立軸４３６に向かって内側に移動する。しかし、支持ばりとは異なり、フェース要素３１１は、フェース要素３１１の圧縮状態にある部分にスコアリングライン３２３も備えている。フェース要素３１１が過度に屈曲すると、スコアリングライン３２３の底部におけるフェース要素３１１の機械的降伏に達するおそれがある。スコアリングライン３２３がなければ、フェース要素３１１は通常、まずフェース要素３１１の引張りを受けている部分内で破損するものと予測されるが、スコアリングライン３２３が、まずフェース要素３１１の圧縮状態にある部分で破損を発生させる。即ち、フェース要素３１１がスコアリングライン３２３のところで破損してから、フェース要素３１１の残りの部分が、破損を生じさせるのに十分高い応力レベルに達する可能性がある。アイアンタイプのクラブヘッドは、スコアリングライン３２３のところで破損をより被りやすいことがある。というのも、アイアンタイプのクラブヘッドは、フェース面３１４で凸状になっている傾向のあるウッドタイプのゴルフクラブヘッドとは異なり、フェース面３１４で平坦になっている傾向があるためである。その結果、ウッドタイプのゴルフクラブヘッドがフェース面３１４で屈曲しても、フェース面３１４は依然として、いくらか外側に湾曲していることがある。その一方で、アイアンタイプのゴルフクラブヘッドがフェース面３１４で屈曲すると、フェース面３１４が凹形状に屈曲し、それが、フェース要素３１１の圧縮を受けている部分での圧縮の程度を増大させることがある。
【００３８】
ここで図１および図２に戻ると、強化デバイス１１２および強化要素１２０を実装すると、スコアリングライン２２３（図２）内の、特にスコアリングライン２２３のうちのフェース中心２１６（図２）に近位のスコアリングライン内の、局所的な屈曲が強化されるととともに、フェース要素１１１内の全体的な屈曲の増大が可能になり得る。強化デバイス１１２および強化要素１２０は、これらの利益を、フェース要素１１１の局所的な厚さを増大させ、それにより、フェース要素１１１がそれらの位置においてより剛性（ｓｔｉｆｆｅｒ）に、かつより硬く（ｈａｒｄｅｒ）なることによって、もたらすことが可能である。実際、強化デバイス１１２および強化要素１２０は、フェース要素１１１の中立軸をフェース面２１４（図２）から引き離し、後面１１５のより近くに引き寄せる働きをすることができる。
【００３９】
一方、強化デバイス１１２および強化要素１２０はさらに、これらの利益を、閉構造（例えば１つまたは複数のループ状リブ）として実装されるときにもたらすことが可能である。というのも、そのような閉構造にすると、周方向（即ちフープ）応力が強化デバイス１１２および強化要素１２０に作用する結果として、変形に耐えることが可能なためである。例えば、強化デバイス１１２および強化要素１２０に作用する周方向（即ちフープ）応力は、強化デバイス１１２および強化要素１２０の対向する側が、互いから離れて回転するのを防止し、それにより屈曲が減少し得る。
【００４０】
さらに、強化デバイス１１２および強化要素１２０は、インパクト時におけるクラブヘッド１００に対する応力の実質的部分を吸収し、それにより、応力が、インパクト時に、フェース要素１１１、フェース面２１４、および後面１１５などのクラブヘッド１００の他の部分によって吸収されないようにする。応力を、強化デバイス１１２および強化要素１２０の方向に導くことは、強化デバイスおよび強化要素を欠くクラブヘッド３００と比較して、または強化要素１２０のない、もしくは少ない強化デバイス１１２を有するクラブヘッドと比較して、フェース要素１１１およびクラブヘッド１００の耐久性を向上させる。
【００４１】
実装の際には、強化要素１２０（例えば強化要素１２１）は、上述した強化デバイス１１２および／または強化要素１２０の所期の機能を実施するように構成された、任意の適切な形状（例えば多角形、楕円形、円形等）および／または任意の適切な構成で実装され得る。さらに、強化要素１２０が複数の強化要素を備えるとき、強化要素１２０のうちの２つ以上の強化要素が、別のものに類似し得、および／または強化要素１２０のうちの２つ以上の強化要素が、別のものとは異なり得る。
【００４２】
いくつかの実施形態では、強化要素１２０（例えば強化要素１２１）は、ｘ軸１０７および／またはｙ軸１０８の周りで対称とすることができる。強化要素１２０（例えば強化要素１２１）が横長形状で実装される場合、多くの実施形態では、強化要素の最大寸法（例えば長軸）が、ｘ軸１０７またはｙ軸１０８のうちの一方と平行および／または共線とすることができる。しかし、他の実施形態では、最大寸法（例えば長軸）は、所望の通りにｘ軸１０７および／またはｙ軸１０８に対して角度付けされ得る。さらに、多くの実施形態では、強化要素１２０（例えば強化要素１２１）は、ｚ軸１０９に中心が置かれ得るが、いくつかの実施形態では、強化要素１２０のうちの１つまたは複数（例えば強化要素１２１）が、例えば、上端部１０１、底端部１０２、トゥ端部１０５、およびヒール端部１０６のうちの１つまたは２つのほうに偏在されるなど、ｚ軸１０９の中心から外れて偏在され得る。
【００４３】
多くの実施形態では、強化要素１２０の各強化要素（例えば強化要素１２１）は、１つまたは複数のループ状リブ１２７（例えばループ状リブ１２２）を備えることができる。具体的には、強化要素１２１は、ループ状リブ１２２を備えることができる。これらまたは他の実施形態では、ループ状リブ１２７が複数のループ状リブを備える場合、ループ状リブ１２７は、ある点および／または軸（例えばｚ軸１０９）の周りで互いに同心とすることができる。他の実施形態では、ループ状リブ１２７が複数のループ状リブを備える場合、ループ状リブ１２７のうちの２つ以上を非同心とすることができる。さらに、これらまたは他の実施形態では、ループ状リブ１２７のうちの２つ以上がオーバーラップすることができる。一方、これらの実施形態では、ループ状リブ１２２は楕円形ループ状リブを備えることができ、これらの実施形態のいくつかでは、ループ状リブ１２２は円形ループ状リブを備えることができる。上記したように、強化要素１２０をループ状リブ１２７として実装すると、ループ状リブ１２７の閉構造によってもたらされる周方向（例えばフープ）応力のため、有利となり得る。多くの実施形態では、ループ状リブ１２７のうちの１つもしくは複数（またはループ状リブ１２７の各々）が、連続した閉ループである。
【００４４】
これらまたは他の実施形態では、ループ状リブ１２７の各ループ状リブは、外周縁面および内周縁面を備える。一方、これらの実施形態では、各強化要素（例えば強化要素１２１）の外周縁面は、その強化要素に対応するループ状リブ（例えばループ状リブ１２２）の外周縁面を備える。例えば、ループ状リブ１２２は、外周縁面１２８および内周縁面１２９を備えることができる。さらに、内周縁面１２９は、急峻かつリブ高さ５４０（図１３）のところで後面に対して実質的に直交とすることができる。
【００４５】
いくつかの実施形態では、強化要素１２０の１つまたは複数の外周縁面（例えば強化要素１２１の外周縁面１２６）が、後面１１５に対してすみ肉付けされ得る。これらまたは他の実施形態では、ループ状リブ１２７の１つまたは複数の内周縁面（例えばループ状リブ１２２の内周縁面１２９）が、後面１１５に対してすみ肉付けされ得る。強化要素１２０の外周縁面（例えば強化要素１２１の外周縁面１２６）を後面１１５に対してすみ肉付けすると、強化要素１２０（例えば強化要素１２１の外周縁面１２６）の後面１１５への平滑な移行が可能になり得る。さらに、後面１１５に対して強化要素１２０の外周縁面（例えば、強化要素１２１の外周縁面１２６）にすみ肉付けすることは、インパクトからの応力を、強化要素１２０に向けるとともに、フェース面２１４から離れるようにすることができる。一方、強化要素の外周縁面（例えば、強化要素１２１の外周縁面１２６）、またはループ状リブ１２７の内周縁面（例えば、ループ状リブ１２２の内周縁面１２９）は、およそ０．０１２センチメートル以上の半径を有するすみ肉１１７を用いて後面１１５に対してすみ肉付けされ得る。例えば、いくつかの実施形態では、後面１１５に対する外周縁面１２６のすみ肉１１７は、およそ０．０１２センチメートルからおよそ２．０センチメートル、およそ０．５０センチメートルからおよそ３．０センチメートル、またはおよそ１．０センチメートルからおよそ４．０センチメートルの範囲とすることができる。さらなる例の場合、いくつかの実施形態では、後面１１５に対する内周縁面１２９のすみ肉１１７は、およそ０．０１２センチメートルからおよそ２．０センチメートル、およそ０．５０センチメートルからおよそ３．０センチメートル、またはおよそ１．０センチメートルからおよそ４．０センチメートルの範囲とすることができる。
【００４６】
いくつかの実施形態では、強化要素の外周縁面は、後面１１５に対して直接すみ肉付けされ得る。これらの実施形態においては、フェース厚さは、リブ高さ５４０におけるフェース厚さから、後面１１５におけるフェース厚さへとすみ肉１１７に沿って徐々に減少する。
【００４７】
いくつかの実施形態では、クラブヘッド１００は、クラブヘッド１００の後面１１５上にリップ部５５２をさらに含むことができる。図１５〜図１７を参照すると、示された実施形態においては、リップ部５５２が、クラブヘッド１００の強化要素１２０の周りで、ヒール端部１０６からトゥ端部１０５へと延在している。これらまたは他の実施形態では、強化要素１２０の外周縁面上のすみ肉１１７は、リップ部５５２へと移行することができ、従って、フェース厚さは、リブ高さ５４０におけるフェース厚さから最小の厚さ５４４へとすみ肉１１７に沿って徐々に減少し、次いで、最小の厚さ５４４からリップ部高さ５５４におけるフェース厚さへと徐々に増加する。これらの実施形態では、強化要素１２０とリップ部５５２の間の最小の厚さ５４４は、中心厚さ５３７よりも大きくすることができ、強化要素１２０とリップ部５５２の間の最小厚さ５４４は、中心厚さ５３７に略等しくすることができ、または強化要素１２０とリップ部５５２の間の最小厚さ５４４は、中心厚さ５３７未満にすることができる。図１５〜図１６で示された実施形態では、強化要素１２０とリップ部５５２の間の最小厚さ５４４は、中心厚さ５３７よりも大きい。図１７で示された実施形態では、強化要素１２０とリップ部５５２の間の最小厚さ５４４は、中心厚さ５３７に略等しい。
【００４８】
多くの実施形態では、強化要素１２０とリップ部５５２の間の最小厚さ５４４は、フェースプレートの屈曲およびボール速度に対応する。強化要素１２０とリップ部５５２の間の最小厚さ５４４が減少するにつれて、強化要素１２０の外周縁面がゴルフボールとのインパクト中にさらに屈曲し得る。インパクト時における強化要素１２０の外周縁面の増加した屈曲により、フェースプレートのたわみを増加させて、ゴルフボールへのエネルギー伝達を増加させ、かつボール速度を増加させることができる。例えば、中心厚さ５３７に略等しい強化要素１２０とリップ部５５２の間の最小厚さ５４４を有する図１７で示されたゴルフクラブヘッド１００は、中心厚さ５３７よりも大きい強化要素１２０とリップ部５５２の間の最小厚さ５４４を有する図１５〜図１６で示されたクラブヘッド１００よりも最高で１マイル毎時（ｍｐｈ）速いボール速度を生ずる。
【００４９】
いくつかの実施形態では、強化要素１２１がループ状リブ１２２を備える場合、ループ状リブ１２２はキャビティ１３１を備えることができる。他の実施形態では、強化要素１２１がループ状リブ１２２を備えるとき、ループ状リブ１２２はキャビティ１３１を備えていない。キャビティ１３１を伴わない実施形態では、中心厚さ５３７（図５および図１３）は、キャビティ１３１を伴う実施形態においてよりも大きくすることができ、フェース面２１４（図２）からループ状リブ１２２の遠位端まで測定され得る（例えば中心厚さ５３７（図５）とリブ高さ５４２（図５）を合わせた距離とすることができる）、リブ高さ５４２（図５および図１３）のところのフェース厚さ以下とすることができる。キャビティ１３１は、内周縁面１２９と後面１１５とによって画定される。いくつかの実施形態では、キャビティ１３１は、中心キャビティとすることができる。多くの実施形態では、キャビティ１３１には、例えば加重インサート（ｗｅｉｇｈｔｅｄ  ｉｎｓｅｒｔ）などのどんな内容物も無しとすることができる。他の実施形態では、キャビティ１３１は、図８および図９に示すように、インサート８０５を収容することができる。
【００５０】
上記でいくらか詳細に論じたように、強化デバイス１１２および強化要素１２０を実装することによって、フェース面２１４（図２）は、フェース周縁部２１７（図２）の近位で（例えばフェース周縁部２１７で）よりもフェース中心２１６（図２）の近位で（例えばフェース中心２１６で）、後面１１５により近く（即ちより薄く）なり得る。いくつかの実施形態では、フェース面２１４（図２）の、フェース中心２１６（図２）に近位の部分とは、フェース面２１４の表面積の、フェース中心２１６（図２）と境界を接し、かつフェース面２１４の総表面積のおよそ１パーセント、２パーセント、３パーセント、５パーセント、１０パーセント、または２０パーセントを表す部分のことを指すことができる。これらまたは他の実施形態では、フェース面２１４（図２）の表面積のその部分は、後フェース１１５の表面積の、強化要素１２１によって覆われる部分に対応することができる。一方、いくつかの実施形態では、フェース面２１４（図２）の、フェース周縁部２１７（図２）に近位の部分とは、フェース面２１４の、フェース周縁部２１７と、フェース周縁部２１７（図２）からおよそ０．１０センチメートル、０．２０センチメートル、０．２５センチメートル、０．５０センチメートル、１．００センチメートル、または２．００センチメートルのところに位置する挿入された境界とによって囲まれる領域のことを指すことができる。
【００５１】
図面を少しの間先に進むと、図５および図１３は、図１の実施形態によるクラブヘッド１００の図２の切断線５−５に沿った断面図を示す。クラブヘッド１００は、中心厚さ５３７を備えることができる。中心厚さ５３７とは、フェース中心２１６（図２）から後中心１１８（図１）までの距離のことを指すことができる。多くの実施形態では、中心厚さ５３７は、およそ０．１５０ｃｍ〜およそ０．３００ｃｍとすることができる。いくつかの実施形態では、中心厚さ５３７は、０．３００ｃｍ未満、０．２５５ｃｍ未満、０．２５０ｃｍ未満、０．２０５ｃｍ未満、０．２００ｃｍ未満、または０．１５５ｃｍ未満とすることができる。いくつかの実施形態では、強化要素１２０の中心が少なくとも部分的に埋められ得る。例えば、強化要素１２０の中心は、制振材料もしくは振動減衰特徴部（例えばインサート８０５（図８））、または他の材料で埋められ得る。多くの実施形態では、中心厚さ５３７は、リブ高さ５４０におけるフェース厚さよりも薄くすることができる。他の実施形態では、中心厚さ５３７は、リブ高さ５４０におけるフェース厚さにほぼ等しくすることができる。リブ高さ５４０におけるフェース厚さは、リブ高さ５４０を中心厚さ５３７に加えたものであってもよい。多くの実施形態では、強化要素１２０の外側のフェース厚さ５４２は、中心厚さ５３７よりも厚いが、リブ高さ５４０におけるフェース厚さよりも薄くすることができる。他の実施形態では、フェース厚さ５４２は、中心厚さ５３７と同じであってもよい。
【００５２】
いくつかの実施形態では、リブ高さ５４０におけるフェース厚さは、およそ０．３０ｃｍからおよそ０．７０ｃｍとすることができる。いくつかの実施形態では、リブ高さ５４０におけるフェース厚さは、およそ０．３０ｃｍからおよそ０．５０ｃｍとすることができる。いくつかの実施形態では、リブ高さ５４０におけるフェース厚さは、およそ０．４０ｃｍからおよそ０．６０ｃｍとすることができる。いくつかの実施形態では、リブ高さ５４０におけるフェース厚さは、およそ０．５０ｃｍからおよそ０．７０ｃｍとすることができる。いくつかの実施形態では、リブ高さ５４０におけるフェース厚さは、０．３０ｃｍより大きく、０．４０ｃｍより大きく、０．５０ｃｍより大きく、または０．６０ｃｍより大きくすることができる。
【００５３】
いくつかの実施形態では、強化要素１２０の外側のフェース厚さ５４２は変化することができる。図１５〜図１６は、上部厚さ５４６を有する、強化要素１２０の外側のフェースプレートの上部５４５と、底部厚さ５４８を有する、強化要素１２０の外側のフェースプレートの底部５４７とを示している。いくつかの実施形態では、上部厚さ５４６は、底部厚さ５４８と同じであってもよい（図５および図１３）。これらの実施形態では、中心厚さ５３７は、上部厚さ５４６および底部厚さ５４８よりも薄くすることができ、また上部厚さ５４６および底部厚さ５４８は、リブ高さ５４０におけるフェース厚さよりも薄くすることができる。いくつかの実施形態では、上部厚さ５４６は、底部厚さ５４８と異なっていてもよい（図１５〜図１６）。例えば、いくつかの実施形態では、中心厚さ５３７は、上部厚さ５４６よりも薄くすることができ、上部厚さ５４６は、底部厚さ５４８よりも薄くすることができ、また底部厚さ５４８は、リブ高さ５４０におけるフェース厚さよりも薄くすることができる。さらなる例に関して、いくつかの実施形態では、上部厚さ５４６は、中心厚さ５３７よりも薄くすることができ、中心厚さ５３７は、底部厚さ５４８よりも薄くすることができ、また底部厚さ５４８は、リブ高さ５４０におけるフェース厚さ５４０よりも薄くすることができる。
【００５４】
多くの実施形態では、強化要素１２０の外側のフェース厚さ５４２は、およそ０．１５０ｃｍからおよそ０．３００ｃｍとすることができる。いくつかの実施形態では、強化要素１２０の外側のフェース厚さ５４２は、０．３００ｃｍ未満、０．２５５ｃｍ未満、０．２５０ｃｍ未満、０．２０５ｃｍ未満、０．２００ｃｍ未満、または０．１５５ｃｍ未満とすることができる。多くの実施形態では、上部厚さ５４６は、およそ０．１５０ｃｍからおよそ０．３００ｃｍとすることができる。いくつかの実施形態では、上部厚さ５４６は、０．３００ｃｍ未満、０．２５５ｃｍ未満、０．２５０ｃｍ未満、０．２０５ｃｍ未満、０．２００ｃｍ未満、または０．１５５ｃｍ未満とすることができる。多くの実施形態では、底部厚さ５４８は、およそ０．１５０ｃｍからおよそ０．３００ｃｍとすることができる。いくつかの実施形態では、底部厚さ５４８は、０．３００ｃｍ未満、０．２５５ｃｍ未満、０．２５０ｃｍ未満、０．２０５ｃｍ未満、０．２００ｃｍ未満、または０．１５５ｃｍ未満とすることができる。
【００５５】
多くの実施形態では、支持するための裏当て材料を必要とすることなく（例えば、フェースプレートの後部に位置するエラストマーなどの充填材料を使用することなく）、強化要素１２０の外側のフェース厚さ５４２は、およそ０．１５０ｃｍからおよそ０．３００ｃｍとすることができ、また中心厚さ５３７は、およそ０．１５０ｃｍからおよそ０．３００ｃｍとすることができる。例えば、強化要素１２０の外側のフェース厚さ５４２は、強化要素１２０の外側のフェース厚さ５４２の後部に位置するエラストマーまたは他の可撓性材料を有することなく、およそ０．１５０ｃｍからおよそ０．３００ｃｍとすることができる。他の例の場合、中心厚さ５３７は、フェース中心厚さ５３７の後部に位置するエラストマーまたは他の可撓性材料を有することなく、およそ０．１５０ｃｍからおよそ０．３００ｃｍとすることができる。
【００５６】
通常、ゴルフクラブヘッドのフェースプレートは、個々のスイング速度要件に対して（例えば、フェースプレート厚さを低減することにより）ボール速度を最大化するように設計される。一般に、クラブヘッドを用いたインパクト時の力は、スイング速度とともに減少するので、フェースプレート厚さは（例えば、男子のゴルフクラブヘッドに比較して女子のゴルフクラブヘッドの場合）、低いスイング速度の耐久性要件に伴い減少させることができる。例えば、低いスイング速度の耐久性要件を有するクラブヘッドは、より高いスイング速度の耐久性要件を有するクラブヘッドと比較して、低い中心厚さ５３７、リブ高さ５４０における低いフェース厚さ、低い上部厚さ５４６、低い底部厚さ５４８、または上記で述べた厚さ低減の任意の組合せを有することができる。いくつかの実施形態では、中心厚さ５３７は、およそ０．１５０ｃｍからおよそ０．２５０ｃｍとすることができ、上部厚さ５４６は、およそ０．１５０ｃｍからおよそ０．２５０ｃｍとすることができ、また底部厚さ５４８は、およそ０．１５０ｃｍからおよそ０．２５０ｃｍとすることができて、クラブヘッド１００が、１００マイル毎時（ｍｐｈ）（１６０．９キロメートル毎時、ｋｐｈ）未満、９０ｍｐｈ（１４４．８ｋｐｈ）未満、８０ｍｐｈ（１２８．７ｋｐｈ）未満、７０ｍｐｈ（１１２．６ｋｐｈ）未満、または、６０ｍｐｈ（９６．６ｋｐｈ）未満のスイング速度に耐えることを可能にする。いくつかの実施形態では、中心厚さ５３７は、およそ０．２００ｃｍからおよそ０．３００ｃｍとすることができ、上部厚さ５４６は、およそ０．２００ｃｍからおよそ０．３００ｃｍとすることができ、また底部厚さ５４８は、およそ０．２００ｃｍからおよそ０．３００ｃｍとすることができて、クラブヘッド１００が、１３０ｍｐｈ（２０９．２ｋｐｈ）未満、１２０ｍｐｈ（１９３．１ｋｐｈ）未満、１１０ｍｐｈ（１７７．０ｋｐｈ）未満、１００ｍｐｈ（１６０．９ｋｐｈ）未満、または、９０ｍｐｈ（１４４．８ｋｐｈ）未満のスイング速度に耐えることを可能にする。
【００５７】
多くの実施形態では、スコアリングライン２２３は、およそ０．０３０ｃｍからおよそ０．０６０ｃｍの深さを有することができる。いくつかの実施形態では、スコアリングライン２２３は、０．０６０ｃｍ未満、０．０５５ｃｍ未満、０．０５０ｃｍ未満、０．０４５ｃｍ未満、０．０４０ｃｍ未満、または０．０３５ｃｍ未満の深さを有することができる。例えば、図１５〜図１６で示された実施形態では、スコアリングライン２２３は、およそ０．０４６ｃｍの深さを有する。本明細書で述べられる場合、中心厚さ５３７、強化要素１２０の外側のフェース厚さ５４２、上部厚さ５４６、および底部厚さ５４８に対する測定は、スコアリングラインのないフェースプレートの領域で行われる。従って、スコアリングライン２２３内で測定されたフェースプレート厚さは、フェースプレートの同じ領域内のスコアリングライン２２３の外側で、またはスコアリングライン２２３の隣で測定された関連するフェースプレート厚さよりも、（スコアリングラインの深さによって）低くなる。
【００５８】
いくつかの実施形態では、リブの幅が、ループ状リブ１２２（図１）全体にわたって変化することができ、いくつかの実施形態では、ループ状リブ１２２（図１）および／または内周縁面１２９（図１）が、最大リブスパン５３８を備えることができる。最大リブスパン５３８とは、内周縁面１２９（図１）の一方の側から向かいの内周縁面１２９（図１）の対向する側までの、後面１１５（図１）と平行に測定される最大距離のことを指すことができる。従って、ループ状リブ１２２（図１）が楕円形ループ状リブを備えるとき、最大リブスパン５３８とは、内周縁面１２９（図１）の長軸のことを指すことができる。さらに、ループ状リブ１２２（図１）が円形ループ状リブを備えるとき、最大リブスパン５３８とは、内周縁面１２９（図１）の直径のことを指すことができる。とりわけ、多くの実施形態では、最大リブスパン５３８は、内周縁面１２９（図１）の中点で測定され得る。
【００５９】
いくつかの実施形態では、最大リブスパン５３８は、およそ０．６０９ｃｍ〜およそ１．８８ｃｍとすることができる。いくつかの実施形態では、最大リブスパン５３８は、およそ１．０ｃｍとすることができる。いくつかの実施形態では、最大スパン５３８があまりにも大きすぎる（例えばおよそ１．８８センチメートルよりも大きい）場合、ループ状リブ１２２（図１）は、フェース中心２１６（図２）に最も近いスコアリングライン２２３（図２）を強化するのに不十分となり得る。一方、これらまたは他の実施形態では、最大スパン５３８があまりにも小さい（例えばおよそ０．６０９センチメートル未満である）場合、ループ状リブ１２２は、フェース周縁部２１７（図２）に最も近いスコアリングライン２２３（図２）を強化するのに不十分となり得る。一般に、最大リブスパン５３８に対するこれらの上限および下限は、フェース要素１１１（図１）のサイズの関数となり得る。いくつかの実施形態では、例えば図６に示すように、２つ以上のリブ６２１および６４１が存在し得る。この場合、大きいほうのリブスパンまたはリブ６４１（図６）の内径もしくは外径は、１．８８センチメートルよりも大きいとすることができ、小さいほうのリブスパンまたはリブ６２１（図６）の内径もしくは外径は、０．６０９センチメートル未満とすることができる。
【００６０】
さらに、ループ状リブ１２２（図１）は、リブ厚さ５３９を備えることができる。リブ厚さ５３９とは、ループ状リブ１２２（図１）の内周縁面１２９（図１）とループ状リブ１２２（図１）の外周縁面１２８（図１）との間の、後面１１５（図１）と平行に測定される距離のことを指すことができる。いくつかの実施形態では、ループ状リブ１２２（図１）の厚さは、ループ状リブ１２２（図１）全体にわたって変わることができ、リブ厚さ５３９は、ループ状リブ１２２（図１）の最大リブ厚さとすることができる。多くの実施形態では、リブ厚さ５３９は、およそ０．０５０ｃｍ〜およそ１．５０ｃｍとすることができる。いくつかの実施形態では、リブ厚さ５３９は、およそ０．０５ｃｍとすることができる。いくつかの実施形態では、リブ厚さ５３９は、およそ０．２５センチメートル以上とすることができる。いくつかの実施形態では、リブ厚さ５３９は、およそ０．５０センチメートルとすることができる。いくつかの実施形態では、リブ厚さ５３９は、およそ０．７５センチメートルとすることができる。いくつかの実施形態では、リブ厚さ５３９は、およそ１．００センチメートルとすることができる。いくつかの実施形態では、リブ厚さ５３９は、およそ１．２５センチメートルとすることができる。いくつかの実施形態では、リブ厚さ５３９は、およそ１．５０センチメートルとすることができる。さまざまな実施形態では、ループ状リブ１２７（図１）が複数のループ状リブを備える場合、ループ状リブ１２７（図１）のうちの２つ以上のループ状リブが、同じリブ厚さを備えることができ、および／またはループ状リブ１２７（図１）のうちの２つ以上のループ状リブが、異なるリブ厚さを備えることができる。とりわけ、多くの実施形態では、リブスパン５３９は、内周縁面１２９（図１）および／または外周縁面１２８（図１）の中点で測定され得る。
【００６１】
さらになお、ループ状リブ１２２（図１）は、リブ高さ５４０を備えることができる。リブ高さ５４０とは、後面１１５（図１）から、ループ状リブ１２２（図１）の後面１１５から最も遠い中心位置、即ち外周縁面１２８（図１）が内周縁面１２９（図１）と接するところまでの垂直な距離のことを指すことができる。これらまたは他の実施形態では、リブ高さ５４０は、およそ０．３０４８センチメートル以上とすることができる。いくつかの実施形態では、リブ高さ５４０は、およそ０．１７７８ｃｍ〜およそ０．３０４８ｃｍとすることができる。いくつかの実施形態では、リブ高さ５４０は、およそ０．１７ｃｍ、０．２０ｃｍ、０．２３ｃｍ、０．２６ｃｍ、０．２９ｃｍ、または０．３０ｃｍとすることができる。多くの実施形態では、リブ高さ５４０は、およそ０．５１２ｃｍ以下とすることができる。いくつかの実施形態では、ループ状リブ１２２（図１）の高さは、ループ状リブ１２２全体にわたって変わることができ、リブ高さ５４０は、ループ状リブ１２２（図１）の最大リブ高さとすることができる。さまざまな実施形態では、ループ状リブ１２７（図１）が複数のループ状リブを備えるとき、ループ状リブ１２７（図１）のうちの２つ以上のループ状リブが、同じリブ高さを備えることができ、および／またはループ状リブ１２７（図１）のうちの２つ以上のループ状リブが、異なるリブ高さを備えることができる。
【００６２】
多くの実施形態では、中心厚さ５３７、最大リブスパン５３８、リブ厚さ５３９、および／またはリブ高さ５４０は、互いのうちの１つまたは複数に応じて変わり得る。例えば、中心厚さ５３７は、リブ厚さ５３９およびリブ高さ５４０の関数となり得る。即ち、リブ厚さ５３９および／またはリブ高さ５４０が増大する場合、中心厚さ５３７は低減され得、逆も同様である。一方、リブ厚さ５３９およびリブ高さ５４０は、互いによって変わり得る。例えば、リブ厚さ５３９を増大させると、リブ高さの低減が可能になり得、逆も同様である。
【００６３】
ここで図１および図２に戻ると、多くの実施形態では、周縁壁要素１１３が、第１の周縁壁部１２４および第２の周縁壁部１２５を備えることができる。周縁壁要素１１３は、（ｉ）後面１１５の後周縁部１１９の周りに少なくとも部分的に（例えばその周り全体に）、（ｉｉ）後面１１５から外に後端部１０４に向かって、かつ（ｉｉｉ）前端部２０３（図２）から離れて延在する。一方、第１の周縁壁部１２４は、上端部１０１で後面１１５の後周縁部１１９に沿って延在することができ、第２の周縁壁部１２５は、底端部１０２で後面１１５の後周縁部１１９に沿って延在することができる。多くの実施形態では、強化デバイス１１２および強化要素１２０は、強化デバイス１１２および強化要素１２０が後面１１５で浮動するように、後面１１５のところで周縁壁要素１１３から離隔しており、および／またはそこから離れて位置する。強化デバイス１１２および強化要素１２０を浮動させることによって、フェース要素１１１がフェース中心２１６（図２）の周りで略対称的に屈曲することが可能になり得る。
【００６４】
多くの実施形態では、クラブヘッド本体１１０は、（ｉ）少なくとも部分的に第１の周縁壁部１２４および／もしくは上端部１０１にある上面１３２、および／または（ｉｉ）少なくとも部分的に第２の周縁壁部１２５および／もしくは底端部１０２にあるソール面１３３を備えることができる。従って、いくつかの実施形態では、第１の周縁壁部１２４は、上面１３２の少なくとも一部を構成することができ、および／または第２の周縁壁部１２５は、ソール面１３３の少なくとも一部を構成することができる。さらに、上面１３２は、上端部１０１でフェース面２１４（図２）と接することができ、および／またはソール面１３３は、底端部１０２でフェース面２１４（図２）と接することができる。
【００６５】
いくつかの実施形態では、第２の周縁壁部１２５の少なくとも部分が、フェース周縁部２１７（図２）のところのおよび／またはフェース周縁部２１７に近位のフェース要素１１１と略等しい厚さ、またはそれよりも薄くすることができる。例えば、第２の周縁壁部１２５は、第２の周縁壁部１２５の、フェース周縁部２１７（図２）に近位の部分（即ち、第２の周縁壁部１２５がフェース要素１１１と接するところ）で、フェース周縁部２１７のおよび／またはフェース周縁部２１７に近位のフェース要素１１１と等しい厚さ、またはそれよりも薄くすることができる。第２の周縁壁部１２５のこの部分を、フェース周縁部２１７（図２）のおよび／またはフェース周縁部２１７に近位のフェース要素１１１と等しい厚さに、またはそれよりも薄くなるように実装すると、フェース面２１４（図２）がゴルフボールをインパクトしたときに、第２の周縁壁部１２５に応力集中部が形成することが防止され得る。
【００６６】
後面１１５は、第１の後面部および第２の後面部を備える。第１の後面部とは、後面１１５の、周縁壁要素１１３によって覆われる部分のことを指すことができ、第２の後面部とは、後面１１５の残りの部分のことを指すことができる。多くの実施形態では、強化要素１２１（例えばループ状リブ１２２）は、後面１１５の第２の後面部の表面積のおよそ２５パーセント以上、および／または後面１１５の第２の後面部の表面積のおよそ４０パーセント以下を覆うことができる。他の実施形態では、強化要素１２１（例えばループ状リブ１２２）は、後面１１５の第２の後面部の表面積のおよそ３０パーセント以上を覆うことができる。いくつかの実施形態では、強化要素１２１（例えばループ状リブ１２２）は、後面１１５の第２の後面部の表面積のおよそ２５パーセント、２８パーセント、３１パーセント、３４パーセント、３７パーセント、または４０パーセントを覆うことができる。
【００６７】
さらに、クラブヘッド本体１１０は、シャフトを受容し、それをクラブヘッド１００および／またはクラブヘッド本体１００に結合するための、ホーゼル１３４または他の任意の適切な機構（例えばボア）を備えることができる。他の適切な機構は、１つまたは複数の点で、ホーゼル１３４に類似し得る。
【００６８】
一方、一般的に言うと、ホーゼル１３４はヒール端部１０６に、またはそれに近接して位置することができる。シャフトは図面に示していないが、ホーゼル１３４は、例えばゴルフクラブシャフトなどのシャフトを（即ちホーゼル１３４の開口を通じて）受容するように構成され得る。従って、ホーゼル１３４は、シャフトを受容することができ、ホーゼル１３４がシャフトを受容したときに、シャフトがクラブヘッド１００および／またはクラブヘッド本体１１０に（例えば恒久的にまたは取り外し可能に）結合されるのを可能にすることができる。
【００６９】
さらに、いくつかの実施形態では、第２の周縁壁部１２５は、ウエイトキャビティ１３５を備えることができる。これらの実施形態では、ウエイトキャビティ１３５は、取り外し可能なまたは恒久的な加重インサートを受容するように構成され得る。加重インサートは、加重インサートがクラブヘッド１００の重心よりもクラブヘッド１００の底端部１０２の近くに位置するように、ウエイトキャビティ１３５内に配置され得る。言い換えると、加重インサートは、クラブヘッド１００の重心が、加重インサートよりもクラブヘッド１００の上端部１０１の近くに位置するように、ウエイトキャビティ１３５内に配置され得る。加重インサートは、クラブヘッド１００の重心を変更するように構成され得る。
【００７０】
図面を先に進むと、図６は、一実施形態によるクラブヘッド６００の上面、後面、トゥ側面図を示す。一方、図７は、図６の実施形態によるクラブヘッド６００の上面、正面、トゥ側面図を示す。
【００７１】
クラブヘッド６００は、クラブヘッド１００（図１）に類似していてもよく、それと同一でもよい。従って、クラブヘッド６００は、強化デバイス６１２を備えることができ、強化デバイス６１２は、強化要素６２０を備えることができる。強化デバイス６１２は、強化デバイス１１２（図１）に類似していてもよく、それと同一でもよく、強化要素６２０は、強化要素１２０（図１）に類似していてもよく、それと同一でもよい。
【００７２】
強化要素６２０は、第１の強化要素６２１および第２の強化要素６４１を備えることができる。第１の強化要素６２１および／または第２の強化要素６４１はそれぞれ、第１の強化要素１２１（図１）に類似し得る。従って、第１の強化要素６２１は、第１のループ状リブ６２２を備えることができ、第２の強化要素６４１は、第２のループ状リブ６４２を備えることができる。第１のループ状リブ６２２および／または第２のループ状リブ６４２はそれぞれ、ループ状リブ１２２（図１）に類似し得る。
【００７３】
これらの実施形態では、第１の強化要素６２１および／または第１のループ状リブ６２２が、円形ループ状リブを備えることができ、第２の強化要素６２２および／または第２のループ状リブ６４２が、楕円形ループ状リブを備えることができる。第２の強化要素６２２および／または第２のループ状リブ６４２は、第１の強化要素６２１および／または第１のループ状リブ６２２を囲むことができる。多くの実施形態では、楕円形ループ状リブの長軸が、クラブヘッド６００のｘ軸と略平行とすることができる。ｘ軸は、ｘ軸１０７（図１）に近似していてもよく、それと同一でもよい。それと同じまたは異なる実施形態では、楕円形ループ状リブの短軸が、クラブヘッド６００のｙ軸と非平行とすることができる。ｙ軸は、ｙ軸１０８（図１）に近似していてもよく、それと同一でもよい。
【００７４】
強化デバイス６１２を有するクラブヘッド６００は、前端部２０３から底端部１０２にかけて延在する均一な移行厚さ５５０（図示省略）も有することができる。均一な移行厚さ５５０は、強化デバイス６１２を有するクラブヘッド６００の、前端部２０３と底端部１０２との間の領域に向けられた応力を吸収する。均一な移行厚さ５５０は、およそ０．２０〜０．８０インチの範囲とすることができる。例えば、均一な移行厚さ５５０は、およそ０．２０、０．２５、０．３０、０．３５、０．４０、０．４５、０．５０、０．５５、０．６０、０．６５、０．７０、０．７５、または０．８０インチとすることができる。
【００７５】
別の実施形態において、図８は、図１の別の実施形態によるクラブヘッド８００の図２の切断線５−５に沿った側面図を示す。図８に示すクラブヘッド８００は、キャビティ１３１内のインサート８０５を示す。図９は、図８の実施形態によるクラブヘッド８００の上面、後面、ヒール側面図を示す。いくつかの実施形態では、インサート８０５は、振動減衰特徴部とすることができる。インサート８０５は、非金属材料、ポリウレタンなどのエラストマー材料、または発泡体などの別の材料とすることができる。インサート８０５は、クラブヘッド８００の音および感触を調整するために使用され得る。振動を吸収または制振することによって、インサート８０５は、クラブヘッド８００の感触を向上させる。加えて、インサート８０５は、ゴルフボールがフェースを打撃する音を吸収し、それにより、ゴルフクラブ８００のヘッドの感触が、より中空ではなくなり、より中実になる。さらなる実施形態では、キャビティ１３１を、バッジ（図示省略）が少なくとも部分的に覆うことができる。バッジは、インサート８０５から分離していてもよく、インサート８０５と一体をなしてもよい。他の実施形態では、バッジは、強化要素１２０（図１）などの強化要素と一体をなすことができる。
【００７６】
場合によっては、クラブヘッド８００のスイングウエイトまたは重心に著しく影響を及ぼさないように、インサート８０５の重量は約３ｇ未満とすることができる。他の実施形態では、インサート８０５の重量は、約５ｇ〜約１０ｇなど、約３ｇよりも大きくてもよく、クラブヘッド８００のスイングウエイトおよび／または重心に大きく寄与することができる。いくつかの実施形態では、インサート８０５は、エポキシ接着剤、粘弾性発泡体テープ、振動減衰特徴部、または３Ｍ（商標）ＶＨＢ（商標）テープなどの高強度テープを使用して、キャビティ１３１に付着され得る。他の実施形態では、インサート８０５は、キャビティ１３１に直接流し込まれ、接着され得る。バッジは、類似の接着剤を用いて接着され得る。いくつかの実施形態では、インサート８０５またはバッジは、ループ状リブ１２２（図１）と、リブ高さ５４０の上部で同一平面であってもよく、またはそれらは、完全に組み立てられたとき、リブ高さ５４０より下であってもよい。
【００７７】
いくつかの実施形態では、少なくとも１つの振動減衰特徴部、例えばインサート８０５（図８）が、ゴルフクラブヘッド８００などのゴルフクラブヘッドの後面１１５（図１）上に配設され得る。振動減衰特徴部は、インパクト時にゴルフクラブヘッド８００からより望ましい音を生み出すことができる。ゴルフクラブヘッド８００の薄いフェース要素１１１（図１）は、ゴルフボールを打撃するときに望ましくない音を発生させることがある。振動減衰特徴部が振動を減少させ、それにより、薄いフェース要素１１１（図１）によるインパクト時に、より望ましい音がもたらされ得る。振動減衰構成要素は、より望ましい雑音を提供することによって、使用中のユーザの自信を増大させることができる。振動減衰特徴部は、ゴルフクラブのユーザがゴルフボールを打撃するときに感じる振動衝撃を低減させることもできる。さらに、振動減衰特徴部は、振動疲労を減少させて、ゴルフクラブ８００、および限定されないがキャビティ１３１やウエイトキャビティ１３５（図１）などのさまざまな特徴部に対する、摩耗を低減させることができる。振動疲労が減少するとさらに、限定されないがキャビティ１３１のインサート８０５やウエイトキャビティ１３５（図１）内のインサートなどの部品が緩むまたは変位するリスクが、低下し得る。振動疲労が減少すると、ゴルフクラブヘッド８００の性能寿命が延長し得る。
【００７８】
図１２に見られるように、さらなる実施形態では、振動減衰特徴部が、粘弾性制振材料からなる少なくとも１層を備えることができる。制振材料は、３Ｍ（商標）制振フォイルテープ２５５２などの制振フォイル１２０２をなす、感圧性粘弾性アクリルポリマーおよびアルミニウムフォイルを含むことができる。制振フォイル１２０２は、接着剤層を備えることができる。一実施形態では、振動減衰特徴部は、少なくとも１つの粘弾性接着剤層１２０３を備えることができ、この層は、エポキシ接着剤、粘弾性発泡体テープ、および／または３Ｍ（商標）ＶＨＢ（商標）テープなどの高強度テープのうちの少なくとも１層の、さまざまな層からなる組成を備えることができる。いくつかの実施形態では、振動減衰特徴部は、粘弾性接着剤１２０３、制振フォイル１２０２、および／またはバッジ１２０１のうちの少なくとも１つの、さまざまな層組合せを備えることができる。
【００７９】
図８に戻ると、いくつかの実施形態では、振動減衰特徴部は、ゴルフクラブヘッド８００などのゴルフクラブヘッドの、鋼鉄１２０４などの後面材料を備える後面１１５（図１）上に配設され得る。別の実施形態では、振動減衰特徴部は、ゴルフクラブヘッド８００のキャビティ１３１内またはインサート８０５の上もしくは下に配設され得る。振動減衰特徴部は、ゴルフクラブヘッド８００の後面１１５（図１）のさまざまな位置に位置することができる。一般に、振動減衰特徴部は、後面１１５（図１）上でバッジの輪郭の下に、少なくとも部分的に位置する。いくつかの実施形態では、振動減衰特徴部は、バッジの輪郭全体の下に配設される。他の実施形態では、振動減衰特徴部は、バッジの輪郭の、アルミニウム領域やエラストマー領域などの特定領域のみの下に、少なくとも部分的に配設される。振動減衰特徴部は、バッジの輪郭の周縁領域の少なくとも部分のみの下に配設され得る。いくつかの実施形態では、振動減衰特徴部は、ゴルフクラブヘッド８００のキャビティ１３１内に、少なくとも部分的に配設され得る。振動減衰特徴部は、キャビティ１３１内でインサート８０５の上または下に、少なくとも部分的に配設され得る。多くの実施形態では、ゴルフクラブヘッド８００上への振動減衰特徴部の配設は、フォイルが、バッジの下に少なくとも部分的に、インサート８０５の上に少なくとも部分的に、ウエイトキャビティ１３５（図１）内に少なくとも部分的に、および／またはキャビティ１３１内に少なくとも部分的に配設される、さまざまな組合せを含む。いくつかの実施形態では、振動減衰特徴部は、後面１１５（図１）の表面積の少なくとも１０パーセントをそれが覆うように配設される。他の実施形態では、振動減衰特徴部は、後面１１５の表面積の少なくとも１５、２０、２５、３０、３５、４０、４５、５０、５５、６０、６５、７０、７５、８０、８５、９０、９５、または１００パーセントを覆うことができる。
【００８０】
インサート８０５を有するクラブヘッド８００は、前端部２０３から底端部１０２にかけて延在する均一な移行厚さ５５０（図８）も有することができる。均一な移行厚さ５５０は、インサート８０５を有するクラブヘッド８００の、前端部２０３と底端部１０２との間の領域に向けられた応力を吸収する。均一な移行厚さ５５０は、およそ０．２０〜０．８０インチの範囲とすることができる。例えば、均一な移行厚さ５５０は、およそ０．２０、０．２５、０．３０、０．３５、０．４０、０．４５、０．５０、０．５５、０．６０、０．６５、０．７０、０．７５、または０．８０インチとすることができる。
【００８１】
他の実施形態において、図１８Ａはクラブヘッド９００の側断面図である。クラブヘッド９００は、クラブヘッド１００に類似していてもよい。クラブヘッド９００は、上端部９０１、底端部９０２、トゥ端部９０５、ヒール端部９０６、前端部９０３、後端部９０４、及び、フェース要素９１１を備えるクラブヘッド本体９１０を備える。フェース要素９１１は、前端部９０３上に位置するフェース面９１４（即ち、打撃フェースまたは打撃プレート）と、後端部９０４上に位置する後面９１５と、を備える。後面９１５は、後中心９１８を備える。
【００８２】
クラブヘッド本体９１０の上端部９０１は、トップレール９２４を備える。トップレール９２４は、前端部９０３から後端部９０４および底端部９０２に向かって、円弧状に延在する。トップレール９２４は、上端部９０１に沿って、トゥ端部９０５からヒール端部９０６へ延在している。フェース要素９１１の後面９１５とトップレール９２４の間に位置する湾曲の中の凹部は、アンダーカット９５０を画定する。多くの実施形態では、アンダーカット９５０は、トップレール９２４に沿ってトゥ端部９０５からヒール端部９０６へ延在する。他の実施形態では、アンダーカット９５０は、トップレール９２４に沿って、および、トゥ端部９０５の一部分の中へ、ヒール端部９０６の一部分の中へ、または、トゥ端部９０５の一部分およびヒール端部９０６の一部分の組合せの中へ、延在することができる。アンダーカット９５０は、クラブヘッド３００、６００、および、８００にも適用されることができる。
【００８３】
フェース要素９１１は、強化デバイス１１２、６１２に類似する強化デバイス９１２をさらに備える。強化デバイス９１２は、概して後中心９１８において、後面９１５上に位置する。強化デバイス９１２は、前端部９０３から離れて、後面９１５から延在する。強化デバイス９１２は、１つまたは複数の強化要素９２０を備える。多くの実施形態では、複数の強化要素９２０のうちのそれぞれの強化要素は、外周縁面９２６、内周縁面９２９、および、幾何学的中心を備える。強化要素９２０は、ループ状リブ９２７をさらに備えることができる。これらまたは他の実施形態では、強化要素９２０のうちの１つまたは複数の幾何学的中心は、後面９１５の後中心９１８にあることできる。
【００８４】
いくつかの実施形態では、ループ状リブ９２７は、複数のループ状リブを備えてもよく、それぞれのループ状リブ９２７は、互いに同心とすることができる。他の実施形態では、ループ状リブ９２７が複数のループ状リブを備えるとき、ループ状リブ９２７のうちの２つ以上は、非同心であってもよい。さらに、これらまたは他の実施形態では、ループ状リブ９２７のうちの２つ以上がオーバーラップしてもよい。一方、いくつかの実施形態では、ループ状リブ９２７は、楕円形ループ状リブを備えてもよいし、他の実施形態では、ループ状リブ９２７は、円形ループ状リブを備えてもよい。
【００８５】
実装の際には、強化要素９２０およびループ状リブ９２７は、上述した強化デバイス９１２および／または強化要素９２０の所期の機能を実施するように構成された、任意の適切な形状（例えば、多角形、楕円形、円形等）および／または任意の適切な構成で実装され得る。さらに、強化要素９２０が複数の強化要素を備えるとき、強化要素９２０のうちの２つ以上の強化要素は、別のものに類似してもよく、および／または、強化要素１５２０のうちの２つ以上の強化要素は、別のものとは異なっていてもよい。
【００８６】
いくつかの実施形態では、強化要素９２０の１つまたは複数の外周縁面９２６は、後面９１５に対してすみ肉付けされてもよい。これらまたは他の実施形態では、ループ状リブ９２７の１つまたは複数の内周縁面９２９は、後面９１５に対してすみ肉付けされてもよい。強化要素９２０の外周縁面９２６を後面９１５に対してすみ肉付けすると、後面９１５への強化要素９２０の平滑な移行が可能になり得る。さらに、強化要素９２０の外周縁面９２６を後面９１５に対してすみ肉付けすることは、インパクトからの応力を、強化要素９２０に向けるとともに、フェース面９１４から離れるようにすることができる。一方、強化要素９２０の外周縁面９２６、または、ループ状リブ９２７の内周縁面９２９は、約０．０１２センチメートル以上の半径を有するすみ肉９２３を用いて後面９１５に対してすみ肉付けされ得る。例えば、いくつかの実施形態では、後面９１５に対する外周縁面９２６のすみ肉９２３は、約０．０１２センチメートルから約２．０センチメートル、約０．５０センチメートルから約３．０センチメートル、または、約１．０センチメートルから約４．０センチメートルの範囲とすることができる。さらなる例の場合、いくつかの実施形態では、後面９１５に対する内周縁面９２９のすみ肉９２３は、約０．０１２センチメートルから約２．０センチメートル、約０．５０センチメートルから約３．０センチメートル、または、約１．０センチメートルから約４．０センチメートルの範囲とすることができる。
【００８７】
いくつかの実施形態では、強化要素９２０の外周縁面９２６は、後面９１５に対して直接すみ肉付けされ得る。これらの実施形態においては、フェース厚さは、強化要素９２０の頂点におけるフェース厚さから後面９１５におけるフェース厚さへとすみ肉９２３に沿って徐々に減少する。
【００８８】
いくつかの実施形態では、クラブヘッド９００は、クラブヘッド９００の後面９１５の上に、上述したおよび図９〜図１７のリップ部５５２に類似するリップ部（図示省略）をさらに含むことができる。クラブヘッド９００のリップ部は、クラブヘッド９００の強化要素９２０の周りで、ヒール端部９０６からトゥ端部９０５へと延在することができる。これらまたは他の実施形態では、強化要素９２０の外周縁面９２６の上のすみ肉９２３は、リップ部へと移行することができる。従って、フェース厚さは、リップ部と強化要素９２０の間で、強化要素９２０の頂点から最小の厚さへとすみ肉９２３に沿って徐々に減少し、次いで、最小の厚さからリップ部の頂点へと徐々に増加する。これらの実施形態においては、強化要素９２０とリップ部の間の最小厚さは、フェース中心９１６における厚さよりも大きくすることができ、強化要素９２０とリップ部の間の最小厚さは、フェース中心９１６における厚さに略等しくすることができ、または、強化要素９２０とリップ部の間の最小厚さは、フェース中心９１６における厚さ未満にすることができる。
【００８９】
クラブヘッド本体９１０の底端部９０２は、ソール９６１をさらに備えることができる。ソール９６１は、内側ソール面９６２を備える。さらに、ソール９６１は、クラブヘッド３００、６００、および８００の中の特徴部であってもよい。図１８Ａおよび図１８Ｂに図示されているように、フェース要素９１１の後面９１５から内側ソール面９６２への内部半径移行部９６３が存在する。半径移行部９６３は、フェース要素９１１の後面９１５に近接して、平滑な移行またはカスケーディングソール９５５を備えることができる。図１８Ｂに図示されているように、カスケーディングソール９５５は、第１のティア（ｔｉｅｒ）９５９、および、第２のティア９６０を備えることができる。第１のティア９５９は、前端部９０３の近位にあり、第２のティア９６０は、後端部９０４の近位にあり、第１のティア９５９は、第２のティア９６０へと移行する。さらに、第１のティア９５９は、第２のティア９６０の厚さよりも大きい厚さを備える。カスケーディングソール９５５のさらなる詳細は、Golf Club Heads with Energy Storage Characteristicsに関する米国特許出願第１４／９２０，２８０号に開示される。
【００９０】
アンダーカット９５０は、クラブヘッド９００のフェース要素９１１の構造的完全性を増加させる。より具体的には、アンダーカットの位置は、ボールとのインパクトの間にフェース要素９１１が上端部９０１において経験する応力のより大きい分配面積を可能にし、応力は、トップレール９２４に沿って移動する。上端部９０１のトップレールの中の応力の分配は、フェース要素９１１の恒久的な変形を防止することができる。フェース要素９１１の構造的完全性を維持することは、クラブヘッド本体９１０が一貫した最適な性能特性および感触を生み出すことを可能にし、性能（即ち、ボール速度、ボール軌道）が、時間の経過とともにおよび複数回の使用の後に劣化しない。
【００９１】
さらに、上端部９０１の上において前端部９０３の直接後方に位置するアンダーカット９５０は、フェース要素９１１がインパクトの間により大きいたわみを有することを可能にする。フェース要素９１１のたわみは、クラブヘッド９００の反発係数（ＣＯＲ）に影響を及ぼす。ＣＯＲは、衝突のときの物体の弾性を測定し、物体の初期相対速度に対する物体の最終相対速度の比率である。より高いＣＯＲは、増加したボール速度および距離を結果として生じさせ、より低いＣＯＲは、減少したボール速度および距離を結果として生じさせる。従って、クラブヘッド９００のアンダーカット９５０は、インパクト後のボールの距離および速度に影響を及ぼす。アンダーカット９５０はフェース要素９１１のたわみを増加させるので、ボールの距離および速度も増加する。
【００９２】
さらに、アンダーカット９５０は、クラブヘッドの上端部９０１からの質量の除去を可能にする。そして、除去された質量は、クラブヘッド上の他の位置（例えば、底端部９０２、トゥ端部９０５、ヒール端部９０６、または、それらの任意の組合せ）へと再分配され得る。質量の再分配は、増加した慣性モーメント（ＭＯＩ）および理想的な重心（ＣＧ）設計などのより高い性能特性を備えたクラブヘッドを提供する。増加したＭＯＩおよび理想的なＣＧ設計は、増加したボール速度をもたらすことができ、スイングの間のトゥ端部９０５からヒール端部９０６へのクラブヘッド９００の回転を防止する。トゥ端部９０５からヒール端部９０６へのクラブヘッド９００の回転を防止することは、ボールのより良好な接触、および、ボールのより理想的な軌道（即ち、真っ直ぐな軌道）を可能にする。
【００９３】
以前に説明されたように、強化デバイス９１２および強化要素９２０は、例えば、フェース面９１４がゴルフボールをインパクトするときなどに、フェース要素９１１が屈曲するのを可能にしながら、フェース要素９１１を強化するように構成される。その結果、フェース要素９１１は、フェース要素９１１からの質量をクラブヘッド９００の他の部分に再分配することを可能にし、結果として生じる曲げの下で座屈および破損することなくフェース要素９１１をより柔軟にすることができるように、フェース要素９１１を薄くすることができる。有利には、フェース要素９１１は、強化デバイス９１２および強化要素９２０を伴って実装されるときのほうが薄くできるので、クラブヘッド９００の重心、慣性モーメント、および、反発係数が、クラブヘッド９００の性能特性を向上させるように変更され得る。例えば、強化デバイス９１２および強化要素９２０を実装すると、発射角度を増加させることによって、ボール速度を増加させることによって、および／または、ゴルフボールのスピンを減少させることによって、フェース面９１４で打ったゴルフボールの飛距離を増加させることができる。これらの例では、強化デバイス９１２および強化要素９２０が、フェース面９１４によって提供されるゴルフボールに対するギアリングをいくらか打ち消す効果を有することができる。
【００９４】
強化デバイス９１２および強化要素９２０は、さらに、閉構造（即ち、ループ状リブ９２７）として実装されるときに、応力を低減させる利益を提供することができる。というのも、そのような閉構造にすると、周方向（即ち、フープ）応力が強化デバイス９１２および強化要素９２０に作用する結果として、変形に耐えることが可能なためである。例えば、強化デバイス９１２および強化要素９２０に作用する周方向（即ち、フープ）応力は、強化デバイス９１２および強化要素９２０の対向する側が互いから離れて回転するのを防止し、それにより屈曲が減少し得る。
【００９５】
カスケーディングソール９５５は、ソール９６１の近くのフェース要素９１１によって経験される応力のいくらかが、第１のティア９５９および第２のティア９６０に分配されることを可能にする。カスケーディングソール９５５の第１のティア９５９および第２のティア９６０による応力の分配は、主としてソール９６１の近くのフェース要素９１１の最も薄いセクションに、応力が集中することを防止する。ソール９６１の中の第１のティア９５９および第２のティア９６０による応力の分配は、恒久的な変形を防止し、フェース要素９１１の構造的完全性を維持することができる。従って、フェース要素９１１は、ボールとの複数のインパクトの後に、より一貫した性能および感触を生み出すことができる。
【００９６】
図１９〜図２１は、クラブヘッド１５００の他の実施形態を図示している。図１９は、クラブヘッド１５００の側断面図であり、図２０は、クラブヘッド１５００の後方斜視図であり、図２１は、クラブヘッド１５００の正面図である。クラブヘッド１５００は、クラブヘッド本体１５１０を備える。図１９に図示されているように、クラブヘッド本体１５１０は、クラブヘッド本体１１０および９１０に類似することができ、クラブヘッド本体１５１０は、上端部１５０１、上端部１５０１の反対側にある底端部１５０２、前端部１５０３、前端部１５０３の反対側にある後端部１５０４、トゥ端部１５０５、トゥ端部１５０５の反対側にあるヒール端部１５０６、およびフェース要素１５１１を備える。トゥ端部は、第１のトゥ端部部分１５０５Ａ、第２のトゥ端部部分１５０５Ｂ、および、第３のトゥ端部部分１５０５Ｃへとさらに分割される。第１のトゥ端部部分１５０５Ａは、上端部１５０１に隣接して位置しており、上端部１５０１と一体成形される。第３のトゥ端部部分１５０５Ｃは、底端部１５０２に隣接して位置しており、底端部１５０２と一体成形される。第２のトゥ端部部分１５０５Ｂは、第１のトゥ端部部分１５０５Ａと第３のトゥ端部部分１５０５Ｃの間に位置する。
【００９７】
クラブヘッド１５００は、ホーゼル１５２１をさらに備える。ホーゼル１５２１は、クラブヘッド本体１５１０と一体成形される。図２０および図２１に図示されているように、点線Ａ−Ａは、ホーゼル１５２１およびクラブヘッド本体１５１０の接合部を表しており、フェース要素１５１１が平坦な面から湾曲へと移行するときに、クラブヘッド本体１５１０が終了し、ホーゼル１５２１が始まる。
【００９８】
多くの実施形態では、クラブヘッド本体１５１０のフェース要素１５１１は、前端部１５０３上に位置決めされるフェース面１５１４と、フェース面１５１４の反対側にある後端部１５０４上に位置決めされる後面１５１５と、を備える。フェース面１５１４は、クラブヘッド１５００の打撃フェースまたは打撃プレートを指すことができ、ゴルフボール（図示省略）をインパクトするように構成される。フェース面１５１４は、フェース面１５１４の略中心に位置するフェース中心１５１６と、フェース面１５１４の周囲に沿ったフェース周縁部１５１７と、を備える。フェース周縁部１５１７は、クラブヘッド本体１５１０のヒール端部１５０６において点線Ａ−Ａに当接する。フェース要素１５１１の後面１５１５は、フェース中心１５１６の反対側にある後中心１５１８と、フェース周縁部１５１７の反対側にある後周縁部１５１９と、を備える。後周縁部１５１９は、クラブヘッド本体１５１０のヒール端部１５０６において点線Ａ−Ａに当接する。
【００９９】
図１９は、クラブヘッド本体１５１０の後端部１５０４を図示している。いくつかのキャビティが、後面１５１５と、フェース要素１５１１の周縁部に沿って、より詳細に下記に説明されるいくつかの後壁構造体の間に形成されることができる。多くの実施形態では、これらのキャビティは、互いに一体になっており、一緒に接続し、後面１５１５といくつかの後壁構造体の間に３６０度のアンダーカットを形成する。いくつかの後壁構造体は、クラブヘッド本体１５１０の上端部１５０１、底端部１５０２、トゥ端部１５０５、および、ヒール端部１５０６から形成される。他の実施形態では、キャビティのうちのいくつかは、互いに一体になっており、および、一緒に接続することができ、他のキャビティは、構造体（例えば、リブ、レッジ部、壁部、または、任意の他の分離するタイプの構造体）によって分断される。多くの実施形態では、形成されたキャビティを備えるクラブヘッド本体１５１０は、（より詳細に下記に説明されるように）強化デバイス１５１２をさらに備えることができる。他の実施形態では、形成されたキャビティを備えるゴルフクラブヘッドは、強化デバイス１５１２を無しとすることができる。
【０１００】
（アンダーカットを備えたクラブヘッド）
図１９および図２０に図示されているように、クラブヘッド本体１５１０の上端部１５０１は、トップレール１５０７を備える。トップレール１５０７は、後端部１５０４および底端部１５０２に向かって、円弧状に延在し、トップレール壁部１５１３を形成する。トップレール壁部１５１３の湾曲は、後面１５１５の一部分を覆っており、第１のキャビティ１５４１が、後面１５１５とトップレール壁部１５１３の間に形成される。トップレール壁部１５１３は、ヒール端部１５０６からトゥ端部１５０５へと延在することができる。同様に、上端部１５０１における第１のキャビティ１５４１は、ヒール端部１５０６からトゥ端部１５０５へと延在することができる。トップレール壁部１５１３は、後面１５１５の約１０％から２２％を覆うことができる。例えば、トップレール壁部１５１３は、後面１５１５の約１０％、１２％、１４％、１６％、１８％、２０％、または、２２％を覆うことができる。いくつかの実施形態では、トップレール壁部１５１３は、後面１５１５の約１８％を覆うことができる。トップレール壁部１５１３による後面１５１５のパーセントカバー率は、第１のキャビティ１５４１の第１の深さ１５３１に関連する。
【０１０１】
図１９に図示されているように、第１のキャビティ１５４１の第１の深さ１５３１は、第１のキャビティ１５４１の開口部からトップレール１５０７の上部における後周縁部１５１９へ、フェース面１５１４に平行に測定される。第１の深さ１５３１は、一貫した深さであってもよいし、第１のキャビティ１５４１に沿って変化してもよい。トップレール１５０７における第１のキャビティ１５４１の第１の深さ１５３１は、約０．１１５インチから０．１３５インチの範囲とすることができる。例えば、第１のキャビティ１５４１の第１の深さ１５３１は、約０．１１５インチ、０．１１７インチ、０．１１９インチ、０．１２１インチ、０．１２３インチ、０．０１２５インチ、０．１２７インチ、０．１２９インチ、０．１３１インチ、０．１３３インチ、または、０．１３５インチとすることができる。いくつかの実施形態では、第１の深さ１５３１は、約０．１２５インチである。
【０１０２】
クラブヘッド本体１５１０の底端部１５０２は、ソール１５０８を備える。ソール１５０８は、後部分１５０９へと一体に形成される。後部分１５０９は、後面１５１５の一部分にわたって、上端部１５０１に向かって上向きに延在する。後面１５１５を覆う後部分１５０９の後方上向きの延在は、後面１５１５と後部分１５０９の間に第２のキャビティ１５４２を形成する。後部分１５０９は、ヒール端部１５０６からトゥ端部１５０５へと延在することができる。同様に、後面１５１５と後部分の間の第２のキャビティ１５４２は、ヒール端部１５０６からトゥ端部１５０５へと延在することができる。後部分１５０９は、後面１５１５の約３０％から５５％を覆うことができる。例えば、後部分１５０９は、後面１５１５の約３０％、３５％、４０％、４５％、５０％、または、５５％を覆うことができる。いくつかの実施形態では、上端部１５０１に向かって上向きに延在する後部分１５０９は、後面１５１５の約４５％を覆うことができる。後面１５１５を覆う後部分１５０９のパーセントカバー率は、第２のキャビティ１５４２の第２の深さ１５３２に関連する。
【０１０３】
図１９に図示されているように、第２のキャビティ１５４２の第２の深さ１５３２は、第２のキャビティ１５４２の開口部からソール１５０８の底部における後周縁部１５１９へ、フェース面１５１４に平行に測定される。第２の深さ１５３２は、一貫した深さであってもよいし、第２のキャビティ１５４２に沿って変化してもよい。第２のキャビティ１５４２の第２の深さ１５３２は、約０．４６０インチから０．５８０インチの範囲とすることができる。例えば、第２の深さ１５３２は、約０．４６０インチ、０．４８０インチ、０．５００インチ、０．５２０インチ、０．５４０インチ、０．５６０インチ、または、０．５８０インチとすることができる。いくつかの実施形態では、第２のキャビティ１５４２の第２の深さ１５３２は、約０．５００インチとすることができる。
【０１０４】
図２０に図示されているように、クラブヘッド本体１５１０のトゥ端部１５０５において、トゥレッジ部１５２６が、トップレール１５０７、ソール１５０８、および、ヒール端部１５０６に向かって、湾曲して延在することができる。トゥレッジ部１５２６は、上端部１５０１から底端部１５０２に向かって延在している。トゥレッジ部は、ソール１５０８の後部分１５０９、および、トップレール１５０７のトップレール壁部１５１３と一体に形成される。より具体的には、第１のトゥ端部部分１５０５Ａにおけるトゥレッジ部１５２６は、トップレール１５０７に隣接しており、トップレール１５０７と一体に形成されており、第３のトゥ端部部分１５０５Ｃにおけるトゥレッジ部１５２６は、後部分１５０９に隣接しており、後部分１５０９と一体に形成される。トップレール１５０７およびヒール端部１５０６に向かって延在するトゥレッジ部１５２６は、第１のトゥ端部部分１５０５Ａにおいて、後面１５１５とトゥレッジ部１５２６の間に第３のキャビティ１５４３を形成することができる。第３のキャビティ１５４３は、トップレール１５０７において、第１のキャビティ１５４１に隣接しており、第１のキャビティ１５４１と一体とすることができる。第３のキャビティ１５４３の下方に、第４のキャビティ１５４４が、第２のトゥ端部部分１５０５Ｂにおいて後面１５１５とトゥレッジ部１５２６の間にさらに形成されることができる。第４のキャビティ１５４４は、ソール１５０８において、第２のキャビティ１５４２に隣接しており、第２のキャビティ１５４２と一体とすることができる。
【０１０５】
トゥレッジ部１５２６は、後面１５１５の一部を覆うことができる。より具体的には、第１のトゥ端部部分１５０５Ａにおけるトゥレッジ部１５２６は、後面１５１５の約７％から１５％を覆うことができる。例えば、第１のトゥ端部部分１５０５Ａにおけるトゥレッジ部１５２６は、後面１５１５の約７％、９％、１１％、１３％、または、１５％を覆うことができる。いくつかの実施形態では、第１のトゥ端部部分１５０５Ａにおけるトゥレッジ部１５２６は、後面１５１５の約９％を覆う。トゥレッジ部１５２６のパーセントカバー率は、第１のトゥ端部部分１５０５Ａにおいて最大であり最も顕著である。同様に、第１のトゥ端部部分１５０５Ａにおけるトゥレッジ部１５２６のパーセントカバー率に関連付けられる第３のキャビティ１５４３の第３の深さ１５３３（より詳細に下記に説明される）も非常に顕著である。第１の端部におけるトゥレッジ部によるパーセントカバー率は、より顕著であり、これは、トップ／トゥ重み付けを増加させ、慣性モーメントを改善することを助けることができる。第１のトゥ端部部分１５０５Ａにおけるトゥレッジ部１５２６によるパーセントカバー率は、第２のトゥ端部部分１５０５Ｂに向かって減少しており、第２のトゥ端部部分１５０５Ｂにおけるトゥレッジ部１５２６のパーセントカバー率は、２つのうちの最小になっている。
【０１０６】
図２０に図示されているように、トップレール１５０７に隣接するトゥ端部１５０５の第３のキャビティ１５４３は、第３の深さ１５３３を備える。第３の深さ１５３３は、第３のキャビティ１５４３の開口部から第１のトゥ端部部分１５０５Ａの縁部における後周縁部１５１９へ、フェース面１５１４に平行に測定される。第３の深さ１５３３は、一貫した深さであってもよいし、第３のキャビティ１５４３に沿って変化してもよい。第３のキャビティ１５４３の第３の深さ１５３３は、約０．２１５インチから０．２４５インチの範囲とすることができる。例えば、第３の深さ１５３３は、約０．２１５インチ、０．２１９インチ、０．２２３インチ、０．２２７インチ、０．２３１インチ、０．２３５インチ、０．２３９インチ、０．２４３インチ、または、０．２４５インチとすることができる。いくつかの実施形態では、第３のキャビティ１５４３の第３の深さ１５３３は、約０．２３０インチとすることができる。
【０１０７】
ソール１５０８に隣接するトゥ端部１５０５の第４のキャビティ１５４４は、第２のトゥ端部部分１５０５Ｂにおけるトゥレッジ部１５２６に関連付けられる。第２のトゥ端部部分１５０５Ｂにおけるトゥレッジ部１５２６は、約４％から１０％の範囲とする後面１５１５の一部分を覆うことができる。例えば、第２のトゥ端部部分１５０５Ｂにおけるトゥレッジ部１５２６は、後面１５１５の約４％、５％、６％、７％、８％、９％、または、１０％を覆うことができる。いくつかの実施形態では、第２のトゥ端部部分１５０５Ｂにおけるトゥレッジ部１５２６は、後面１５１５の約５％を覆うことができる。トゥレッジ部１５２６のパーセントカバー率は、第２のトゥ端部部分１５０５Ｂにおいて最小である。同様に、第２のトゥ端部部分１５０５Ｂにおけるトゥレッジ部１５２６のパーセントカバー率に関連付けられる第４のキャビティ１５４４の第４の深さ１５３４（より詳細に下記に説明される）も非常に小さい。第２のトゥ端部部分１５０５Ｂにおけるトゥレッジ部１５２６のパーセントカバー率は、第１のトゥ端部部分１５０５Ａにおけるパーセントカバー率よりもはるかに小さい。他の実施形態では、第２のトゥ端部部分１５０５Ｂにおける後面１５１５のパーセントカバー率は、第１のトゥ端部部分１５０５Ａにおける後面１５１５のパーセントカバー率以上とすることができる。第２のトゥ端部部分１５０５Ｂにおけるトゥレッジ部１５２６のパーセントカバー率は、実質的に一定に維持されており、それが後部分１５０９と一体に形成されるまで、第３のトゥ端部部分１５０５Ｃに向かってわずかに増加する。
【０１０８】
トップレール１５０７に隣接する第３のキャビティ１５４３とソール１５０８における第２のキャビティ１５４２の間のトゥ端部１５０５の第４のキャビティ１５４４は、第４の深さ１５３４を備える。第４の深さ１５３４は、第４のキャビティ１５４４の開口部から第２のトゥ端部部分１５０５Ｂの縁部における後周縁部１５１９へ、フェース面１５１４に平行に測定される距離である。第４の深さ１５３４が第４のキャビティ１５４４に沿って変化することがわかるが、他の実施形態では、第４のキャビティ１５４４に沿って一貫していてもよい。第４のキャビティ１５４４の第４の深さ１５３４は、約０．１４０インチから０．１６５インチの範囲とすることができる。例えば、第４の深さ１５３４は、約０．１４０インチ、０．１４４インチ、０．１４８インチ、０．１５２インチ、０．１５６インチ、０．１６０インチ、または、０．１６５インチとすることができる。いくつかの実施形態では、第４のキャビティ１５４４の第４の深さ１５３４は、約０．１５０インチとすることができる。上述のように、第４のキャビティ１５４４の第４の深さ１５３４は、第２のトゥ端部部分１５０５Ｂにおいてトゥレッジ部１５２６によって覆われる後面１５１５のパーセントと相関付けられる。トゥレッジ部１５２６による後面１５１５のパーセントカバー率は、第１のトゥ端部部分１５０５Ａよりも第２のトゥ端部部分１５０５Ｂにおいて小さくなり、それにより、第４の深さ１５３４は第３の深さ１５３３よりも小さい。トゥレッジ部１５２６による後面１５１５のパーセントカバー率が第１のトゥ端部部分１５０５Ａよりも第２のトゥ端部部分１５０５Ｂにおいて大きくなっている他の実施形態では、第４の深さ１５３４が、第３の深さ１５３３よりも大きくなっていてもよい。トゥレッジ部１５２６による後面１５１５パーセントカバー率が第２のトゥ端部部分１５０５Ｂおよび第１のトゥ端部部分１５０５Ａにおけるものと同じである他の実施形態では、第４の深さ１５３４は、第３の深さ１５３３と同じであってもよい。
【０１０９】
クラブヘッド本体１５１０のヒール端部１５０６において、ヒールレッジ部１５２４は、トップレール１５０７、ソール１５０８、および、トゥ端部１５０５に向かって、湾曲して延在することができる。第５のキャビティ１５４５が、後面１５１５とヒールレッジ部１５２４の間に形成される。ヒールレッジ部１５２４は、上端部１５０１から底端部１５０２へ延在しており、トップレール１５０７および後部分１５０９と一体に形成される。ヒールレッジ部１５２４は、後面１５１５の一部分を覆うことができる。ヒールレッジ部１５２４は、後面１５１５の約３％から８％を覆うことができる。例えば、ヒールレッジ部１５２４は、後面１５１５の約３％、４％、５％、６％、７％、または、８％を覆うことができる。いくつかの実施形態では、ヒールレッジ部１５２４は、後面１５１５の約４％を覆うことができる。後面１５１５を覆うヒールレッジ部１５２４のパーセントカバー率は、第５のキャビティ１５４５の第５の深さ１５３５に関連する。
【０１１０】
図２０に図示されているように、第５のキャビティ１５４５の第５の深さ１５３５は、第５のキャビティ１５４５の開口部から（点線Ａ−Ａに当接する）ヒール端部１５０６における後周縁部１５１９へ、フェース面１５１４に平行に測定される。第５の深さ１５３５は、一貫した深さであってもよいし、第５のキャビティ１５４５に沿って変化してもよい。第５のキャビティ１５４５の第５の深さ１５３５は、約０．０８０インチから０．１１０インチの範囲とすることができる。例えば、第５の深さ１５３５は、約０．０８０インチ、０．０８２インチ、０．０８４インチ、０．０８６インチ、０．０８８インチ、０．０９０インチ、０．０９２インチ、０．０９４インチ、０．０９６インチ、０．０９８インチ、０．１００インチ０．１０２インチ、０．１０４インチ、０．１０６インチ、０．１０８インチ、または、０．１１０インチとすることができる。いくつかの実施形態では、第５のキャビティ１５４５は、約０．１００インチの第５の深さ１５３５を有することができる。
【０１１１】
図２０に図示されているように、上述した第１のキャビティ１５４１、第２のキャビティ１５４２、第３のキャビティ１５４３、第４のキャビティ１５４４、および、第５のキャビティ１５４５は、すべて、互いに一体に接続され、連続的な３６０度のアンダーカット１５５０を画定する。例示的な実施形態では、アンダーカット１５５０は、第１のキャビティ１５４１、第２のキャビティ１５４２、第３のキャビティ１５４３、第４のキャビティ１５４４、および、第５のキャビティ１５４５を備えることができる。アンダーカット１５５０は、クラブヘッド本体１５１０のフェース要素１５１１の後周縁部１５１９の１００％をさらに備える。クラブヘッド本体１５１０のアンダーカット１５５０は、重量を低減し、フェース要素１５１１の中の屈曲を増加させることを助けることができる。他の実施形態では、キャビティ（例えば、第１のキャビティ１５４１、第２のキャビティ１５４２、第３のキャビティ１５４３、第４のキャビティ１５４４、および、第５のキャビティ１５４５）は、任意の組合せで切り離されることができ、アンダーカット１５５０は、後周縁部１５１９の７０％から１００％を備える。例えば、キャビティは、第１のキャビティ１５４１と第２のキャビティ１５４２の間において、または、第３のキャビティ１５４３と第４のキャビティ１５４４の間において、または、第１の、第２の、第３の、第４の、および第５のキャビティ１５４１、１５４２、１５４３、１５４４、および１５４５の任意の組合せの間において、分断されて非連続的であることができる。いくつかの実施形態では、キャビティ同士の間の分断は、リブ、リップ部、レッジ部、壁部、突出部、または、任意の他の分断構造体などの構造体（図示省略）とすることができる。これらの例示的な実施形態では、アンダーカット１５５０は、後周縁部１５１９の７０％、７５％、８０％、８５％、９０％、９５％、または、１００％を備えることができる。
【０１１２】
３６０度のアンダーカット１５５０を形成するために上述したいくつかのキャビティを備えるクラブヘッド本体１５１０のフェース要素１５１１は、フェース厚さをさらに備えることができる。フェース要素１５１１のフェース厚さは、応力を分配することを助け、ボールインパクトの間のアンダーカット１５５０に沿ったさらなるフェース変曲を可能にすることができる。多くの実施形態では、フェース要素１５１１のフェース厚さは、トゥ端部１５０５からヒール端部１５０６へ、上端部１５０１から底端部１５０２へ、または、それらの任意の組合せで変化することができる。
【０１１３】
図１９に示されるように、フェース要素１５１１のフェース厚さは第１の厚さ１５５１と、第２の厚さ１５５２と、第３の厚さ１５５３と、第４の厚さ１５５４と、を備えることができる。第１の厚さ１５５１は、フェース中心１５１６からリア中心１５１８まで垂直に測定される。第１の厚さ１５５１は、約０．０５５インチから約０．０７５インチ、約０．０５５インチから約０．０６５インチ、約０．０６５インチから約０．０７５インチ、又は、約０．０６０インチから約０．０７０インチの範囲とすることができる。例えば、第１の厚さ１５５１は、０．０５５インチ、０．０５７インチ、０．０５９インチ、０．０６１インチ、０．０６３インチ、０．０６５インチ、０．０６７インチ、０．０６９インチ、０．０７１インチ、０．０７３インチ、又は、０．０７５インチとすることができる。いくつかの実施形態では、フェース要素１５１１の第１の厚さ１５５１は、約０．０６５インチとすることができる。
【０１１４】
図１９に示されるように、第２の厚さ１５５２は、フェース面１５１４から強化要素１５２０の頂点（詳細は下記に記す）へと垂直に測定されるフェース厚さである。強化要素１５２０がない、いくつかの実施形態では、第２の厚さ１５５２は、フェース面１５１４からリア中心１５１８に隣接するリア面１５１５へと垂直に測定される。第２の厚さ１５５２は、約０．１５０インチから約０．２００インチ、約０．１５０インチから約０．１６０インチ、約０．１６０インチから約０．１７０インチ、約０．１７０インチから約０．１８０インチ、約０．１８０インチから約０．１９０インチ、約０．１９０インチから約０．２００インチ、約０．１５０インチから約０．１７５インチ、又は、約０．１７５インチから約０．２００インチの範囲とすることができる。例えば、第２の厚さ１５５２は、約０．１５０インチ、約０．１５５インチ、約０．１６０インチ、約０．１６５インチ、約０．１７０インチ、約０．１７５インチ、約０．１８０インチ、約０．１８５インチ、約０．１８８インチ、約０．１９０インチ、約０．１９５インチ、又は、約０．２００インチとすることができる。いくつかの実施形態では、フェース要素１５１１の第２の厚さ１５５２は、約０．１８８インチとすることができる。
【０１１５】
図１９に示されるように、第３の厚さ１５５３は、強化要素１５１２が無く、後周縁部１５１９に隣接し、リア中心より遠位のフェース厚さであって、フェース面１５１４からリア面へと垂直に測定される。第３の厚さ１５５３は、約０．０５０インチから約０．０６０インチ、約０．０６０インチから約０．０７０インチ、約０．０７０インチから約０．０８０インチ、約０．０８０インチから約０．０９０インチ、約０．０９０インチから約０．１００インチ、約０．０５０インチから約０．７５インチ、又は、約０．０７５インチから約０．１００インチの範囲とすることができる。例えば、第３の厚さ１５５３は、約０．０５０インチ、約０．５５インチ、約０．０６０インチ、約０．０６５インチ、約０．０７０インチ、約０．０７５インチ、約０．０８０インチ、約０．０８５インチ、約０．０８８インチ、約０．０９０インチ、約０．０９５インチ、又は、約０．１００インチとすることができる。いくつかの実施形態では、フェース要素１５１１の第３の厚さ１５５３は、約０．０８８インチとすることができる。
【０１１６】
図１９に示されるように、第４の厚さ１５５４は、フェース面１５１４からリア面１５１５の後周縁部１５１９の縁部へと垂直に測定されるフェース厚さである。第４の厚さ１５５４は、約０．０５０インチから約０．０７０インチ、約０．０５０インチから約０．０６０インチ、約０．０６０インチから約０．０７０インチ、約０．０５０インチから約０．０５８インチ、約０．０５８インチから約０．０６４インチ、又は、約０．０６４インチから約０．０７０インチの範囲とすることができる。例えば、第４の厚さ１５５４は、約０．５０インチ、約０．０５２インチ、約０．０５４インチ、約０．０５６インチ、約０．０５８インチ、約０．０６０インチ、約０．０６２インチ、約０．０６４インチ、約０．０６６インチ、約０．０６８インチ、又は、約０．０７０インチとすることができる。いくつかの実施形態では、フェース要素１５１１の第４の厚さ１５５４は、約０．０６０インチとすることができる。
【０１１７】
いくつかの実施形態では、クラブヘッド本体１５１０は、強化デバイス１５１２及び強化要素１５２０が無くてもよい。これの例示的な実施形態では、フェース中心（第１の厚さ１５５１及び第２の厚さ１５５２）の近くのフェース要素１５１１は、応力を分配するために、０．０８８インチ（約０．０８８インチから約０．１００インチ、約０．０８８インチから約０．２２０インチ、約０．１００インチから約０．２２０インチ、又は、約０．１４０インチ約０．１８０インチの範囲）以上のフェース厚さとすることができる。例えば、フェース中心１５１６の近くのフェース要素１５１１は、約０．０８８インチ、約０．０９０インチ、約０．０９２インチ、約０．０９４インチ、約０．０９６インチ、約０．０９８インチ、約０．１００インチ、約０．１１０インチ、約０．１１４インチ、約０．１８０インチ、又は、約０．２２０インチの第１の厚さ１５５１及び第２の厚さ１５５２を備えることができる。
【０１１８】
（アンダーカットおよび強化デバイスを備えたクラブヘッド）
図１９および図２０に図示されているように、いくつかの実施形態では、クラブヘッド本体１５１０は、強化デバイス１１２、６１２、および、９１２に類似する強化デバイス１５１２をさらに備える。他の実施形態では、クラブヘッド本体１５１０は、強化デバイス１５１２を無しとすることができる。強化デバイス１５１２は、略後中心１５１８において、フェース要素１５１１の後面１５１５上に位置する。強化デバイス１５１２は、前端部１５０３から離れて、後面１５１５から延在する。強化デバイス１５１２は、１つまたは複数の強化要素１５２０を備える。多くの実施形態では、複数の強化要素１５２０のうちのそれぞれの強化要素は、外周縁面１６２６、内周縁面１６２９、および、幾何学的中心を備える。強化要素１５２０は、ループ状リブ１５２７をさらに備える。これらまたは他の実施形態では、強化要素１５２０のうちの１つまたは複数の幾何学的中心は、後面１５１５の後中心１５１８にあることできる。
【０１１９】
いくつかの実施形態では、ループ状リブ１５２７は、複数のループ状リブを備えることができる。それぞれのループ状リブ１５２７は、互いに同心であってもよい。他の実施形態では、ループ状リブ１５２７が複数のループ状リブを備えるとき、ループ状リブ１５２７のうちの２つ以上は、非同心であってもよい。さらに、これらまたは他の実施形態では、ループ状リブ１５２７のうちの２つ以上がオーバーラップしてもよい。一方、いくつかの実施形態では、ループ状リブ１５２７は、楕円形ループ状リブを備えてもよいし、他の実施形態では、ループ状リブ１５２７は、円形ループ状リブを備えてもよい。
【０１２０】
実装の際には、強化要素１５２０およびループ状リブ１５２７は、上述した強化デバイス１５１２および／または強化要素１５２０の所期の機能を実施するように構成された、任意の適切な形状（例えば、多角形、楕円形、円形等）および／または任意の適切な構成で実装され得る。さらに、強化要素１５２０が複数の強化要素を備えるとき、強化要素１５２０のうちの２つ以上の強化要素は、別のものに類似してもよいし、および／または、強化要素１５２０のうちの２つ以上の強化要素が、別のものとは異なっていてもよい。
【０１２１】
いくつかの実施形態では、強化要素１５２０の１つまたは複数の外周縁面１６２６は、後面１５１５に対してすみ肉付けされ得る。これらまたは他の実施形態では、ループ状リブ１６２７の１つまたは複数の内周縁面１６２９は、後面１５１５に対してすみ肉付けされ得る。強化要素１５２０の外周縁面１６２６を後面１５１５に対してすみ肉付けすると、後面１５１５への強化要素１５２０の平滑な移行が可能になり得る。さらに、強化要素１５２０の外周縁面１６２６を後面１５１５に対してすみ肉付けすることは、インパクトからの応力を、強化要素１５２０に向けるとともに、フェース面１５１４から離れるようにすることができる。一方、強化要素１５２０の外周縁面１６２６、または、ループ状リブ１６２７の内周縁面１６２９は、約０．０１２センチメートル以上の半径を有するすみ肉１５２３を用いて後面１５１５に対してすみ肉付けされ得る。例えば、いくつかの実施形態では、後面１５１５に対する外周縁面１６２６のすみ肉１５２３は、約０．０１２センチメートルから約２．０センチメートル、約０．５０センチメートルから約３．０センチメートル、または、約１．０センチメートルから約４．０センチメートルの範囲とすることができる。さらなる例の場合、いくつかの実施形態では、後面１５１５に対する内周縁面１６２９のすみ肉１５２３は、約０．０１２センチメートルから約２．０センチメートル、約０．５０センチメートルから約３．０センチメートル、または、約１．０センチメートルから約４．０センチメートルの範囲とすることができる。
【０１２２】
いくつかの実施形態では、強化要素１５２０の外周縁面１６２６は、後面１５１５に対して直接すみ肉付けされ得る。これらの実施形態においては、フェース厚さは、第２のフェース厚さ１５５２（フェース面１５１４から強化要素１５２０の頂点へ）におけるフェース厚さから後面１５１５におけるフェース厚さへとすみ肉１５２３に沿って徐々に減少する。
【０１２３】
いくつかの実施形態では、クラブヘッド１５００は、クラブヘッド１５００の後面１５１５上に、上述したおよび図１５〜図１７のリップ部５５２に類似するリップ部（図示省略）をさらに含むことができる。クラブヘッド１５００のリップ部は、クラブヘッド１５００の強化要素１５２０の周りで、ヒール端部１５０６からトゥ端部１５０５へと延在することができる。これらまたは他の実施形態では、強化要素１５２０の外周縁面１６２６の上のすみ肉１５２３は、リップ部へと移行することができる。従って、フェース厚さは、リップ部と強化要素１５２０の間で、第２の厚さ１５５２から最小の厚さへとすみ肉１５２３に沿って徐々に減少し、次いで、最小の厚さからリップ部の頂点へと徐々に増加する。これらの実施形態においては、強化要素１５２０とリップ部の間の最小の厚さは、フェース中心１５１６における第１の厚さ１５５１よりも大きくすることができ、強化要素１５２０とリップ部の間の最小の厚さは、第１の厚さ１５５１に略等しくすることができ、または強化要素１５２０とリップ部の間の最小の厚さは、第１の厚さ１５５１未満にすることができる。
【０１２４】
以前に説明されたように、強化デバイス１５１２および強化要素１５２０は、例えば、フェース面１５１４がゴルフボールをインパクトするときなどに、フェース要素１５１１が屈曲するのを可能にしながら、フェース要素１５１１を強化するように構成される。その結果、フェース要素１５１１は、フェース要素１５１１からの質量をクラブヘッド１５００の他の部分に再分配することを可能にし、結果として生じる曲げの下で座屈および破損することなくフェース要素１５１１をより柔軟にすることができるように、フェース要素１５１１を薄くすることができる。有利には、フェース要素１５１１は、強化デバイス１５１２および強化要素１５２０を伴って実装されるときのほうが薄くできるので、クラブヘッド１５００の重心、慣性モーメント、および反発係数が、クラブヘッド１５００の性能特性を向上させるように変更され得る。例えば、強化デバイス１５１２および強化要素１５２０を実装すると、発射角度を増加させることによって、ボール速度を増加させることによって、および／または、ゴルフボールのスピンを減少させることによって、フェース面１５１４で打ったゴルフボールの飛距離を増加させることができる。これらの例では、強化デバイス１５１２および強化要素１５２０が、フェース面１５１４によって提供されるゴルフボールに対するギアリングをいくらか打ち消す効果を有することができる。
【０１２５】
強化デバイス１５１２および強化要素１５２０は、さらに、閉構造（即ち、ループ状リブ１５２７）として実装されるときに、応力を低減させる利益を提供することができる。というのも、そのような閉構造にすると、周方向（即ち、フープ）応力が強化デバイス１５１２および強化要素１５２０に作用する結果として、変形に耐えることが可能なためである。例えば、強化デバイス１５１２および強化要素１５２０に作用する周方向（即ち、フープ）応力は、強化デバイス１５１２および強化要素１５２０の対向する側が互いから離れて回転するのを防止し、それにより屈曲が減少し得る。
【０１２６】
クラブヘッド本体１５１０のアンダーカット１５５０は、上述した強化デバイス１５１２に類似の性能特性を生み出すことができる。いくつかの実施形態では、クラブヘッド本体１５１０は、強化デバイス１５１２を無しとすることができ、アンダーカット１５５０を備えるクラブヘッド本体１５１０は、強化デバイス１５１２およびアンダーカット１５５０の両方を備えたクラブヘッド本体１５１０に類似して実施することができる。第１のキャビティ１５４１、第２のキャビティ１５４２、第３のキャビティ１５４３、第４のキャビティ１５４４、および、第５のキャビティ１５４５を備える３６０度に延在するアンダーカットは、インパクトの間のフェース要素１５１１の最適な屈曲およびたわみを可能にする。３６０度のアンダーカットのない類似のクラブヘッド本体において、フェース要素は、それほどには屈曲またはたわむことができない。より具体的には、第３のキャビティ１５４３、第４のキャビティ１５４４、および／または、第５のキャビティ１５４５のない類似のクラブヘッド本体は、ヒール端部およびトゥ端部において、屈曲またはたわむことができない。類似のクラブヘッドのたわみは、ヒール端部１５０６において限定されており、トゥ端部１５０５では、フェース要素の後面が屈曲して戻るための任意のスペースを有していないことになる。具体的には、トゥ端部１５０５において第３のキャビティ１５４３、および、第４のキャビティ１５４４を備え、ヒール端部１５０６において第５のキャビティ１５４５を備えるクラブヘッド本体１５１０の３６０度のアンダーカット１５５０は、フェース要素１５１１の後面１５１５がインパクトの間にトゥレッジ部１５２６およびヒールレッジ部１５２４に接触することを防止する。従って、フェース要素１５１１は、より大きいたわみのために自由に屈曲することができる。第４のキャビティ１５４４の第４の深さ１５３４は、フェース要素１５１１の後面１５１５がたわみの増加のためにインパクトの間にトゥレッジ部１５２６と接触することをさらに防止する。第４のキャビティ１５４３の小さい第４の深さ１５３４（即ち、トゥレッジ部１５２６はそれほど顕著ではない）に起因して、トゥ端部１５０５の近くのフェース要素１５１１は、さらに遠くへ戻るように延在することができる。
【０１２７】
フェース要素１５１１のたわみは、クラブヘッド１５００の反発係数（ＣＯＲ）に影響を及ぼす。ＣＯＲは、衝突のときの物体の弾性を測定し、物体の初期相対速度に対する物体の最終相対速度の比率である。より高いＣＯＲは、増加したボール速度および距離を結果として生じさせ、より低いＣＯＲは、減少したボール速度および距離を結果として生じさせる。従って、クラブヘッド１５００の３６０度のアンダーカット１５５０のたわみの増加は、インパクト後のボールの距離および速度に影響を及ぼす。アンダーカット１５５０がフェース要素１５１１のたわみを増加させるにつれて、ボールの距離および速度も増加する。
【０１２８】
さらに、３６０度のアンダーカット１５５０は、最小量の応力を経験するフェース要素１５１１の周縁部（即ち、後面１５１５と、後部分１５０９、トップレール１５０７、トゥレッジ部１５２６、およびヒールレッジ部１５２４の間に位置する後周縁部１５１９）からの質量の除去を可能にする。そして、除去された質量は、クラブヘッド１５００の上の他の位置（例えば、底端部１５０２、トゥ端部１５０５の近く、ヒール端部１５０６の近く、または、それらの任意の組合せ）へと再分配され得る。質量の再分配は、より低く、および、後端部１５０４に向かって後ろへ、重心（ＣＧ）をシフトすることができ、それは、増加した慣性モーメント（ＭＯＩ）などのような、より高い性能特性を備えたクラブヘッドを提供することができる。第１の部分１５２６Ａの幅は、ＣＧおよびＭＯＩに関する質量分配にさらに影響を及ぼし得る。図２０に図示されているような第１の部分１５２６Ａの幅は、トゥ端部１５０５の中に質量を増やし、ＭＯＩを改善することを助ける。より良好なＣＧ設計および増加したＭＯＩは、増加したボール速度をもたらすことができ、トゥ端部１５０５からヒール端部１５０６へのクラブヘッド１５００の回転を防止する。トゥ端部１５０５からヒール端部１５０６へのクラブヘッド１５００の回転を防止することは、インパクトしたときのボールとのより良好な接触を可能にし、それは、最適なボール速度、スピン、および、軌道を結果として生じさせることができる。いくつかの実施形態では、ＣＧをさらに効果的にするために、ウエイト（図示省略）が、後面１５１５と後部分１５０９の間の第２のキャビティ１５４２の中に配設されることができる。第２のキャビティ１５４２の中に位置決めされるウエイトは、ＣＧが後端部１５０４およびソール１５０８に向かってシフトすることを可能にする。第２のキャビティ１５４２の中に配設されるウエイトは、インパクトの間にクラブヘッド本体１５１０によって経験される応力および振動をさらに吸収することができる。ウエイトによって応力および振動を吸収することは、クラブヘッド本体１５１０の耐久性および構造的完全性を維持すること、ならびに、プレイヤーの感触を改善することを助けることができる。
【０１２９】
クラブヘッド本体１５１０は、カスケーディングソール１５５５をさらに備えることができる。カスケーディングソール１５５５は、後部分１５０９と後面１５１５の間に位置する第２のキャビティ１５４２の底部において、ソール１５０８の内側キャビティに位置する。クラブヘッド本体１５１０のカスケーディングソール１５５５は、第１の層（図示省略）および第２の層（図示省略）を有する、上述したクラブヘッド本体９１０のカスケーディングソール９５５に類似することができる。クラブヘッド本体１５１０のカスケーディングソール１５５５は、ソール１５０８の近くのフェース要素１５１１によって経験される応力のいくらかが、クラブヘッド本体１５１０の第１の層および第２の層へと分配されることを可能にする。クラブヘッド本体１５１０のカスケーディングソール１５５５の第１の層および第２の層は、主としてソール１５０８の近くのフェース要素１５１１の最も薄いセクションにおいて、応力が集中することを防止する。ソール１５０８の中の第１の層および第２の層の中の応力の分配は、フェース要素１５１１の恒久的な変形を防止する。従って、ボールとの複数のインパクトの後に、より一貫した性能特性および感触を生み出すことができる。
【０１３０】
ゴルフクラブヘッド１００、３００、６００、８００、９００、１５００は、変化するロフト角を有する１組のクラブヘッドの一部とすることができる。いくつかの実施形態では、中心厚さ５３７、強化要素１２０の外側のフェース厚さ５４２、上部厚さ５４６、底部厚さ５４８、リブ高さ５４０におけるフェース厚さ、または前述の厚さの組合せは、１組のクラブヘッド内でクラブヘッドのロフト角とともに変化することができる。
【０１３１】
ここで次の図面に移ると、図１０は、ゴルフクラブヘッドを提供する方法１０００の一実施形態に関するフローチャートを示す。方法１０００は、単なる例示であり、本明細書に提示する実施形態に限定されない。方法１０００は、本明細書で明確に図示または説明していない多くの異なる実施形態または例で用いられ得る。いくつかの実施形態では、方法１０００の作業、手順、および／またはプロセスが、提示した順序で実施され得る。他の実施形態では、方法１０００の作業、手順、および／またはプロセスが、他の任意の適切な順序で実施され得る。さらに他の実施形態では、方法１０００における作業、手順、および／またはプロセスのうちの１つまたは複数が、組み合わされてもよく、スキップされてもよい。多くの実施形態では、ゴルフクラブヘッドは、ゴルフクラブヘッド１００（図１および図２）、ゴルフクラブヘッド６００（図６および図７）、および／またはゴルフクラブヘッド８００（図８および図９）に類似していてもよく、それと同一でもよい。
【０１３２】
方法１０００は、フェース要素を提供する作業１００１を含むことができる。フェース要素は、フェース要素１１１（図１）に類似していてもよく、それと同一でもよい。
【０１３３】
方法１０００は、強化デバイスを提供する作業１００２を含むことができる。強化デバイスは、強化デバイス１１２（図１）に類似していてもよく、それと同一でもよい。図１１は、図１０の実施形態による例示的作業１００２を示す。
【０１３４】
例えば、作業１００２は、第１の強化要素を提供する作業１１０１を含むことができる。第１の強化要素は、第１の強化要素１２１（図１）、強化要素６２１（図６）、強化要素１２０（図１）のうちのいずれか１つの強化要素、および／または強化要素６２０（図６）のうちのいずれか１つの強化要素に類似していてもよく、それと同一でもよい。
【０１３５】
さらに、作業１００２は、第２の強化要素を提供する作業１１０２を含むことができる。第２の強化要素は、第２の強化要素６４１（図６）および／または強化要素６２０（図６）のうちのいずれか１つの強化要素に類似していてもよく、それと同一でもよい。いくつかの実施形態では、作業１１０１および作業１１０２は、略同時に実施され得る。他の実施形態では、作業１１０２は省略され得る。
【０１３６】
図１０に戻ると、方法１０００は、周縁壁要素を提供する作業１００３を含むことができる。周縁壁要素は、周縁壁要素１１３（図１）に類似していてもよく、それと同一でもよい。いくつかの実施形態では、作業１００３は省略され得る。
【０１３７】
いくつかの実施形態では、方法１０００は、作業１００２において提供された強化デバイス内の中心キャビティ内に、インサートを提供する作業１００４を含むことができる。いくつかの実施形態では、作業１００４は省略され得る。
【０１３８】
多くの実施形態では、作業１００１〜１００４のうちの２つ以上が、順次実施されてもよく、互いに略同時に実施されてもよい。これらまたは他の実施形態では、作業１００１〜１００４は、任意の適切な製造技法（例えば鋳造、鍛造、モールディング、機械加工、接合等）を実行して、実施され得る。
【０１３９】
以上、本明細書のゴルフクラブヘッド、および関連方法について、特定の実施形態に即して説明してきたが、本開示の趣旨または範囲から逸脱することなく、さまざまな変更が加えられ得る。例えば、当業者には、図１０の作業１００１〜１００４、ならびに図１１の作業１１０１および１１０２が、多くの異なる手順、プロセス、および作業から構成され、多くの異なるモジュールによって、多くの異なる順序で実施され得ること、図１〜図４の任意の要素が修正され得ること、ならびにこれらの実施形態のうちのいくつかについての先の議論が必ずしも、可能な全ての実施形態の完全な説明になっているとは限らないことが、容易に明らかとなるであろう。
【０１４０】
（例）
（例１：３６０度のアンダーカットと部分的なアンダーカットとの比較）
下記の表１を参照すると、９０ｍｐｈでのゴルフボールとのインパクトの間の、２つの類似のゴルフクラブヘッドの内部エネルギー（重量ポンド・インチで測定される）を評価するために、有限要素分析（ＦＥＡ）テストが行われた。ゴルフクラブヘッドのフェース要素の上のインパクトの３つのポイント、即ち、トゥ端部、フェース中心、および、ヒール端部が、ＦＥＡテストのために選ばれた。テストされた第１のゴルフクラブヘッドは、クラブヘッド１５００であり、クラブヘッド１５００は、３６０度のアンダーカット１５５０を備えており、アンダーカット１５５０は、連続的になっており、クラブヘッド本体１５１０の上述した第１、第２、第３、第４、および、第５のキャビティ１５４１、１５４２、１５４２、１５４４、１５４５を備える。比較測定に関して、使用されたコントロールのゴルフクラブヘッドは、サイズおよび構造が類似しており、トップレールおよびソールの中にキャビティを備えるが、３６０度のアンダーカットはなかった（即ち、ヒール端部およびトゥ端部の中のキャビティがない）。
【０１４１】
【表１】
2019520171.tif 000003
【０１４２】
ＦＥＡテストは、フェース要素によって生み出される内部エネルギーを測定した。ここで、７．８ポンド・インチは、約１ｍｐｈと同等であった。上記の表１に示されているように、ゴルフクラブヘッドは、ヒール端部１５０６において約１２３．０ｍｐｈ、フェース中心１５１６において約１２５．３ｍｐｈ、および、トゥ端部１５０５において約１２３．２ｍｐｈのゴルフボール速度を生み出した。クラブヘッド１５００と比較して、コントロールのゴルフクラブヘッドは、ヒール端部において約１２２．４ｍｐｈ、フェース中心において約１２４．３ｍｐｈ、および、トゥ端部において約１２１．９ｍｐｈのより低いゴルフボール速度を生み出した。一体に連続的な第１のキャビティ１５４１、第２のキャビティ１５４２、第３のキャビティ１５４３、第４のキャビティ１５４４、および、第５のキャビティ１５４５を備える３６０度のアンダーカット１５５０から構成されたクラブヘッド１５００は、トップレールおよびソールの中のキャビティのみを備えた（即ち、ヒール端部およびトゥ端部の中のキャビティはない）類似のコントロールのゴルフクラブヘッドと比較して、テストされたすべての３つのポイントにおいてボール速度の増加が見られた。より具体的には、クラブヘッド１５００は、コントロールのゴルフクラブヘッドに対して、ヒール端部１５０６において約０．５〜０．７５ｍｐｈの増加（約０．５％増加）、フェース中心において約１ｍｐｈの増加（約０．８％増加）、およびトゥ端部１５０５において約１〜１．５ｍｐｈの増加（約１．１％増加）が見られた。
【０１４３】
ＦＥＡテストは、ゴルフボールとのインパクトの間に経験されるゴルフクラブヘッドのフェース要素のピークたわみをさらに示した。ピークたわみは、開始位置におけるフェース要素のフェース面から、フェース要素が開始位置へ跳ね返って戻る前の、インパクト位置の終わりにおけるフェース要素のフェース面へ、ＦＥＡによって測定された。３６０度のアンダーカットを有するクラブヘッド１５００のフェース要素１５１１は、０．０４０インチから０．０５０インチのピークたわみを経験し、一方、コントロールのゴルフクラブヘッド（トップレールの中のキャビティ、およびソールの中のキャビティを有するが、ヒール端部およびトゥ端部の中のキャビティはない）のフェース要素は、０．０３０インチから０．０４０インチのピークたわみを経験した。従って、３６０度のアンダーカットを有するクラブヘッド１５００のフェース要素１５１１は、ピークたわみの２８．６％の増加を有する。
【０１４４】
表１に示されているように、および、上記に説明されるように、クラブヘッド１５００は、コントロールのゴルフクラブヘッドと比較して、ヒール端部１５０６、フェース中心１５１６、およびトゥ端部１５０５において、ボール速度を増加させ、また、フェース要素１５１１のピークたわみを増加させた。クラブヘッド１５００の増加した性能結果は、主として、第１のキャビティ１５４１、第２のキャビティ１５４２、第３のキャビティ１５４３、第４のキャビティ１５４４、および、第５のキャビティ１５４５から構成される３６０度アンダーカット１５５０に起因する。これは、同様に構造化されおよびサイズ決めされたコントロールのゴルフクラブヘッドと比較され、コントロールのゴルフクラブヘッドは、トップレールの中のキャビティ、およびソールの中のキャビティを有するが、ヒール端部およびトゥ端部の中のキャビティはない。
【０１４５】
連続的な３６０度のアンダーカット１５５０（具体的には、トゥ端部１５０５において第３のおよび第４のキャビティ１５４３および１５４４を備え、ヒール端部１５０６において第５のキャビティ１５４５を備える）は、フェース要素１５１１がたわむためのより多くの空間を可能にした。従って、より多くの内部エネルギーが生み出され、それは、より大きいボール速度と同等である。より高いボール速度は、例えば、発射角度、ボールスピン、および、ボールが着地する統計面積を狭くすることなど、他の性能特性を結果として生じさせることができる。それらは、すべて、ゲームの間のボールの飛距離をもたらす。より具体的には、クラブヘッド１５００によって経験されるボール速度の増加は、トップレールキャビティおよびソールキャビティだけを備えた類似のコントロールのクラブヘッドと比較して、０．１度から０．３度だけ高い発射角度、および、１００回転毎分（ｒｐｍ）から３００ｒｐｍだけ低いボールスピンと同等であり得る。より高い発射角度およびより低いボールスピンは、インパクトの後のボールの飛距離を増加させることができる。第１、第２、第３、第４、および、第５のキャビティ１５４１、１５４２、１５４２、１５４４、１５４５を備えるクラブヘッド１５００の発射角度の増加、および、スピンレートの減少は、トゥ端部キャビティおよびヒール端部キャビティのないコントロールのクラブヘッドと比較して、２ヤードから５ヤードのボール距離の増加が見られた。
【０１４６】
３６０度のアンダーカット１５５０から構成されるクラブヘッド１５００は、ボール速度を増加させただけでなく、トップレールキャビティおよびソールキャビティだけを備えたコントロールのクラブヘッドと類似のＭＯＩも維持した。より低いボール速度を伴うクラブヘッドと類似のＭＯＩを有することは、クラブヘッド１５００が、より速いボール速度をあきらめることなく、より寛容なクラブとして振舞いをすることができることを意味する。クラブヘッド１５００は、（トゥ端部１５０５からヒール端部１５０６へ）フェース要素１５１１を横切るより一貫したボール速度に起因して、さらに寛容である。フェース要素１５１１を横切るより一貫したボール速度は、それにより、打ち損ない（即ち、ヒール端部１５０６またはトゥ端部１５０５におけるインパクト）の間のより一貫したボール飛行および飛距離を生み出すことができる。
【０１４７】
さらに、上記の例は、アイアンタイプのゴルフクラブヘッドに関連して説明されていることがあるが、本明細書で説明する装置、方法、および製品は、ウッドタイプのゴルフクラブやパタータイプのゴルフクラブなど、他のタイプのゴルフクラブに適用可能とすることができる。あるいは、本明細書で説明する装置、方法、および製品は、ホッケースティック、テニスラケット、釣り竿、スキーストック等のような、適用可能な他のタイプのスポーツ用品とすることもできる。
【０１４８】
そのような変更その他のさらなる例が、先の説明の中で挙げられたさまざまな図の特徴部のうちの１つまたは複数を有する異なる実施形態の他の置換えも、同様に企図される。従って、本明細書の明細書、特許請求の範囲、および図面は、本開示の範囲を例示するためのものであり、限定するものではない。本出願の範囲は、添付の特許請求の範囲によって求められる範囲のみに限定されることが意図される。
【０１４９】
（条項１）ゴルフクラブヘッドであって、前端部および後端部と、フェース要素であって、前記前端部に位置するフェース面と、前記後端部に位置する後面であって、後中心、後周縁部、および、強化デバイスを備える前記後面と、を備える前記フェース要素と、トップレール壁を形成するために、底端部に向かって円弧状に延在するトップレールを有する上端部と、前記上端部に向かって上向きに延在する後部分と一体に形成されるソールを有する底部と、第１のトゥ端部部分、第２のトゥ端部部分、および、第３のトゥ端部部分へと分割されるトゥ端部であって、前記第１のトゥ端部部分は、前記上端部に隣接しており、前記上端部と一体に形成されており、前記第３のトゥ端部部分は、前記底端部に隣接しており、前記底端部と一体に形成されており、前記第２のトゥ端部部分は、前記第１のトゥ端部部分と前記第３のトゥ端部部分の間に設けられており、前記トゥ端部は、前記トップレール、前記ソール、および、前記ヒール端部に向かって、湾曲して延在しているトゥレッジ部を有しており、前記トゥレッジ部は、前記トップレール壁部および前記後部分と一体に形成される、前記トゥ端部と、前記トップレール、前記ソール、および、前記トゥ端部に向かって、湾曲して延在しているヒールレッジ部を備えるヒール端部であって、前記ヒールレッジ部は、前記トップレール壁部および前記後部分と一体に形成される、前記ヒール端部と、第１のキャビティ、第２のキャビティ、第３のキャビティ、第４のキャビティ、および、第５のキャビティを備えるアンダーカットであって、前記第１のキャビティは、前記後面と前記上部後方壁部の間に形成されており、０．１１５インチから０．１３５インチの第１の深さを有しており、前記第２のキャビティは、前記後面と前記後部分の間に形成されており、０．４６０インチから０．５８０インチの第２の深さを有しており、前記第３のキャビティは、前記後面と前記第１のトゥ端部部分における前記トゥレッジ部の間に形成されており、０．２１５インチから０．２４５インチの範囲の第３の深さを有しており、前記第４のキャビティは、前記後面と前記第２のトゥ端部部分における前記トゥレッジ部の間に形成されており、０．１４０インチから０．１６５インチの範囲の第４の深さを有しており、前記第５のキャビティは、前記後面と前記ヒールレッジ部の間に形成されており、前記第５のキャビティは、０．０８０インチから０．１１０インチの範囲の第５の深さを有している、前記アンダーカットと、外周縁面および内周縁面を有するループ状リブを備える強化要素と、を備え、前記強化要素の前記外周縁面は、前記後面に対してすみ肉付けされる、ゴルフクラブヘッド。
【０１５０】
（条項２）前記ループ状リブは、ｘ軸に対して対称である、または、ｙ軸に対して対称である、条項１に記載のゴルフクラブヘッド。
【０１５１】
（条項３）前記第１のキャビティ、前記第２のキャビティ、前記第３のキャビティ、前記第４のキャビティ、および、前記第５のキャビティの全てが一体に接続されており、連続的である、条項１に記載のゴルフクラブヘッド。
【０１５２】
（条項４）  前記第１のキャビティ、前記第２のキャビティ、前記第３のキャビティ、前記第４のキャビティ、および、前記第５のキャビティが、分断構造体によって分断されており、非連続的である、条項１に記載のゴルフクラブヘッド。
【０１５３】
（条項５）  前記フェース要素が、前記フェース面のフェース中心から前記後中心へと垂直に測定され、０．０５５インチから０．０７５インチの範囲の第１の厚さを備え、前記フェース要素が、前記強化要素の頂点から前記フェース面へと垂直に測定され、０．１５０インチから０．２００インチの範囲の第２の厚さを備え、前記フェース要素が、前記フェース面から、前記強化デバイスがなく前記後周縁部および後中心に隣接する前記後面へと垂直に測定され、０．０５０インチから０．０６０インチの範囲の第３の厚さを備え、前記フェース要素が、前記後周縁部において、０．０５０インチから０．０７０インチの範囲の第４の厚さを備える、条項１に記載のゴルフクラブヘッド。
【０１５４】
（条項６）前記ゴルフクラブヘッドは、前記第２のキャビティの前記底部において、カスケーディングソールをさらに備え、前記カスケーディングソールは、第１の層および第２の層を備える、条項１に記載のゴルフクラブヘッド。
【０１５５】
（条項７）前記第１の層は、前記第２の層の厚さよりも大きい厚さを備える、条項６に記載のゴルフクラブヘッド。
【０１５６】
（条項８）前記ループ状リブの前記内周縁面が、前記後面に対してすみ肉付けされる、条項１に記載のゴルフクラブヘッド。
【０１５７】
（条項９）前記第１のキャビティの前記第１の深さは、約０．１２５インチであり、前記第２のキャビティの前記第２の深さは、約０．５００インチであり、前記第１のトゥ端部部分における前記第３のキャビティの前記第３の深さは、約０．２２５インチであり、前記第２のトゥ端部部分における前記第４のキャビティの前記第４の深さは、約０．１２０インチであり、前記ヒール端部における前記第５のキャビティの前記第５の深さは、約０．０８０インチである、条項１に記載のゴルフクラブヘッド。
【０１５８】
（条項１０）前記トゥレッジ部は、前記後面の一部を覆っており、前記トゥレッジ部は、前記第１のトゥ端部部分において最も顕著であり、前記第２のトゥ端部部分に向かって減少し、実質的に一定になっており、前記第３のトゥ端部部分に向かって、わずかに増加する、条項１に記載のゴルフクラブヘッド。
【０１５９】
（条項１１）ゴルフクラブヘッドであって、前端部および後端部と、前端部および後端部と、前記前端部に位置するフェース面と、前記後端部に位置する後面であって、後中心及び後周縁部を備える前記後面と、を備える前記フェース要素と、トップレール壁を形成するために、底端部に向かって円弧状に延在するトップレールを有する上端部と、前記上端部に向かって上向きに延在する後部分と一体に形成されるソールを有する底部と、第１のトゥ端部部分、第２のトゥ端部部分、および、第３のトゥ端部部分へと分割されるトゥ端部であって、前記第１のトゥ端部部分は、前記上端部に隣接しており、前記上端部と一体に形成されており、前記第３のトゥ端部部分は、前記底端部に隣接しており、前記底端部と一体に形成されており、前記第２のトゥ端部部分は、前記第１のトゥ端部部分と前記第３のトゥ端部部分の間に設けられており、前記トゥ端部は、前記トップレール、前記ソール、および、前記ヒール端部に向かって、湾曲して延在しているトゥレッジ部を有しており、前記トゥレッジ部は、前記トップレール壁部および前記後部分と一体に形成される、前記トゥ端部と、前記トップレール、前記ソール、および、前記トゥ端部に向かって、湾曲して延在しているヒールレッジ部を備えるヒール端部であって、前記ヒールレッジ部は、前記トップレール壁部および前記後部分と一体に形成される、前記ヒール端部と、第１のキャビティ、第２のキャビティ、第３のキャビティ、第４のキャビティ、および、第５のキャビティを備えるアンダーカットであって、前記第１のキャビティは、前記後面と前記上部後方壁部の間に形成されており、０．１１５インチから０．１３５インチの第１の深さを有しており、前記第２のキャビティは、前記後面と前記後部分の間に形成されており、０．４６０インチから０．５８０インチの第２の深さを有しており、前記第３のキャビティは、前記後面と前記第１のトゥ端部部分における前記トゥレッジ部の間に形成されており、０．２１５インチから０．２４５インチの範囲の第３の深さを有しており、前記第４のキャビティは、前記後面と前記第２のトゥ端部部分における前記トゥレッジ部の間に形成されており、０．１４０インチから０．１６５インチの範囲の第４の深さを有しており、前記第５のキャビティは、前記後面と前記ヒールレッジ部の間に形成されており、前記第５のキャビティは、０．０８０インチから０．１１０インチの範囲の第５の深さを有している、前記アンダーカットと、を備える、ゴルフクラブヘッド。
【０１６０】
（条項１２）前記フェース要素は、前記フェース面のフェース中心から前記後中心へと垂直に測定され、０．０８８インチから０．１００インチの範囲の第１の厚さを備え、前記フェース要素は、前記フェース面から前記後中心に隣接する前記後面へと垂直に測定され、０．０８８インチから０．１００インチの範囲の第２の厚さを備え、前記フェース要素は、前記フェース面から前記後面へと測定され、前記第２の厚さに隣接し、かつ、前記後周縁部に隣接する０．０５０インチから０．０６０インチの範囲の第３の厚さを備え、前記フェース要素は、前記後周縁部において、０．０５０インチから０．０７０インチの範囲の第４の厚さを備える、条項１１に記載のゴルフクラブヘッド。
【０１６１】
（条項１３）前記カスケーディングソールは、第１の層および第２の層を備える、条項１１に記載のゴルフクラブヘッド。
【０１６２】
（条項１４）前記第１の層は、前記前端部の近位にあり、前記第２の層は、前記後端部の近位にあり、前記第１の層が前記第２の層へと移行する、条項１１に記載のゴルフクラブヘッド。
【０１６３】
（条項１５）前記第１の層は、前記第２の層の厚さよりも大きい厚さを備える、条項１１に記載のゴルフクラブヘッド。
【０１６４】
（条項１６）前記第１のキャビティの前記第１の深さは、約０．１２５インチであり、前記第２のキャビティの前記第２の深さは、約０．５００インチであり、前記第１のトゥ端部部分における前記第３のキャビティの前記第３の深さは、約０．２２５インチであり、前記第２のトゥ端部部分における前記第４のキャビティの前記第４の深さは、約０．１２０インチであり、前記ヒール端部における前記第５のキャビティの前記第５の深さは、約０．０８０インチである、条項１１に記載のゴルフクラブヘッド。
【０１６５】
（条項１７）前記第１のキャビティ、前記第２のキャビティ、前記第３のキャビティ、前記第４のキャビティ、および、前記第５のキャビティの全てが一体に接続されており、連続的である、条項１１に記載のゴルフクラブヘッド。
【０１６６】
（条項１８）前記第１のキャビティ前記、第２のキャビティ、前記第３のキャビティ、前記第４のキャビティ、および、前記第５のキャビティが、分断構造体によって分断されており、非連続的である、条項１１に記載のゴルフクラブヘッド。
【０１６７】
（条項１９）ウエイトが、前記後部分と前記後面の間において、前記第２のキャビティの中に配設されることができる、条項１１に記載のゴルフクラブヘッド。
【０１６８】
（条項２０）前記トゥレッジ部は、前記後面の一部を覆っており、前記トゥレッジ部は、前記第１のトゥ端部部分において最も顕著であり、前記第２のトゥ端部部分に向かって減少し、実質的に一定になっており、前記第３のトゥ端部部分に向かってわずかに増加する、条項１１に記載のゴルフクラブヘッド。
【０１６９】
（条項２１）ゴルフクラブヘッドであって、前端部及び後端部と、トゥ端部およびヒール端部と、トゥ端部からヒール端部へと延在するトップレールを有する上端部と、内側ソール面を備えるソールを有する底部であって、トップレールが、前端部から離れて、後端部および底端部に向かって、円弧状に延在する底部と、フェース要素であって、前端部に位置するフェース面、およびフェース面の反対側にある後端部に位置する後面と、を備え、後面は、後中心、後面に位置する強化デバイス、および、フェース要素の後面とアンダーカットを画定するトップレールの間に位置する凹部を備え、アンダーカットが、トゥ端部からヒール端部へとトップレールに沿って延在する、フェース要素とを備え、強化要素が、外周縁面および内周縁面を有するループ状リブを備え、強化要素の外周縁面が、後面に対してすみ肉付けされる、ゴルフクラブヘッド。
【０１７０】
（条項２２）フェース要素の後面から内側ソール面への内部半径移行部をさらに備え、内部半径移行部が、カスケーディングソールを備える、条項２１に記載のゴルフクラブヘッド。
【０１７１】
（条項２３）カスケーディングソールが、第１の層および第２の層を備える、条項２２に記載のゴルフクラブヘッド。
【０１７２】
（条項２４）第１の層が、前端部の近位にあり、第２の層が、後端部の近位にあり、第１の層が、第２の層へと移行する、条項２３に記載のゴルフクラブヘッド。
【０１７３】
（条項２５）第１の層が、第２の層の厚さよりも大きい厚さを備える、条項２３に記載のゴルフクラブヘッド。
【０１７４】
（条項２６）ループ状リブは、楕円形ループ状リブまたは円形ループ状リブを備える、条項２１に記載のゴルフクラブヘッド。
【０１７５】
（条項２７）ループ状リブは、複数のループ状リブを備え、各ループ状リブが、互いに同心である、条項２１に記載のゴルフクラブヘッド。
【０１７６】
本明細書で論じたゴルフクラブヘッドおよび関連方法は、さまざまな実施形態において実行され得、これらの実施形態のうちのいくつかについての先の議論は必ずしも、可能な全ての実施形態の完全な説明になっているとは限らない。そうではなく、図面の詳細な説明、および図面自体が、少なくとも１つの好ましい実施形態を開示し、また代替実施形態を開示することがある。
【０１７７】
１つまたは複数の特許請求される要素の置換えは、訂正ではなく再構成となる。加えて、利益、他の利点、および問題に対する解決策について、特定の実施形態に関して説明してきた。しかし、利益、利点、問題に対する解決策、および任意の利益、利点、または解決策を生じさせ、またはより顕著にさせることのできる１つまたは複数の任意の要素を、請求項のうちのいずれかまたは全ての、肝要な、必要な、または不可欠な特徴部または要素と解釈することは、そのような利益、利点、解決策、または要素がそのような請求項内に明示的に述べられていない限り、すべきではない。
【０１７８】
ゴルフのルールは時々変わることがある（例えば、全米ゴルフ協会（ＵＳＧＡ）、ロイヤルアンドエンシェントゴルフクラブオブセントアンドリュース（Ｒ＆Ａ）等のようなゴルフの標準化組織および／または運営団体によって、新たな規定が採用されることがあり、または旧ルールが廃止もしくは修正されることがある）ので、本明細書で説明する装置、方法、および製品に関連するゴルフ用品は、任意の特定の時点のゴルフのルールに準拠していることもあり、準拠していないこともある。従って、本明細書で説明する装置、方法、製品に関連するゴルフ用品は、準拠している、または準拠していないゴルフ用品として、広告され、売りに出され、および／または販売されることがある。本明細書で説明する装置、方法、および製品は、この点に関して限定されない。
【０１７９】
さらに、本明細書で開示する実施形態および限定事項は、実施形態および／または限定事項が、（１）特許請求の範囲において明示的に特許請求されておらず、（２）均等論の下で、特許請求の範囲における明示的な要素および／もしくは限定事項の均等物であるか、または潜在的な均等物である場合、公有の原則の下で公に供されることはない。
【図１】
2019520171.tif 000004
【図２】
2019520171.tif 000005
【図３】
2019520171.tif 000006
【図４】
2019520171.tif 000007
【図５】
2019520171.tif 000008
【図６】
2019520171.tif 000009
【図７】
2019520171.tif 000010
【図８】
2019520171.tif 000011
【図９】
2019520171.tif 000012
【図１０】
2019520171.tif 000013
【図１１】
2019520171.tif 000014
【図１２】
2019520171.tif 000015
【図１３】
2019520171.tif 000016
【図１４】
2019520171.tif 000017
【図１５】
2019520171.tif 000018
【図１６】
2019520171.tif 000019
【図１７】
2019520171.tif 000020
【図１８Ａ−１８Ｂ】
2019520171.tif 000021
【図１９】
2019520171.tif 000022
【図２０】
2019520171.tif 000023
【図２１】
2019520171.tif 000024
【国際調査報告】
2019520171.tif 000025